(57)【要約】      （修正有）【課題】３次元オーディオ・シーンの効果的な符号化および復号化のためのさらなる進歩的な概念を提供する、マルチチャネル非相関器のための複雑さ制御情報を供給するマルチチャネル非相関器を含むマルチチャネル・オーディオ・デコーダを提供する。【解決手段】複数の非相関器入力信号に基づいて、複数の非相関化信号を供給するためのマルチチャネル非相関器であって、Ｎ個の非相関器入力信号６１０ａ〜ｎの第１のセットをＫ個の非相関器入力信号６２２ａ〜ｎの第２のセットにプレミックスする。Ｋ＜Ｎである。マルチチャネル非相関器は、Ｋ個の非相関器入力信号の第２のセットに基づいて、Ｋ’個の非相関器出力信号６３２ａ〜Ｋ’の第１のセットを供給するように構成され、さらに、Ｋ’個の非相関器出力信号の第１のセットをＮ’個の非相関器出力信号の第２のセットにアップミックスする。Ｎ’＞Ｋ’である。【選択図】図６
2020120389.tif 000002
【特許請求の範囲】
【請求項１】
2020120389.tif 000100
【請求項２】
Ｋ＝Ｋ’である、請求項１に記載のマルチチャネル非相関器。
【請求項３】
Ｎ＝Ｎ’である、請求項１または請求項２に記載のマルチチャネル非相関器。
【請求項４】
Ｎ≧３およびＮ’≧３である、請求項１ないし請求項３のいずれかに記載のマルチチャネル非相関器。
【請求項５】
2020120389.tif 000101
【請求項６】
2020120389.tif 000102
【請求項７】
2020120389.tif 000103
【請求項８】
2020120389.tif 000104
【請求項９】
2020120389.tif 000105
【請求項１０】
2020120389.tif 000106
【請求項１１】
2020120389.tif 000107
【請求項１２】
2020120389.tif 000108
【請求項１３】
2020120389.tif 000109
【請求項１４】
2020120389.tif 000110
【請求項１５】
結合される前記少なくとも２つの左側のチャネル信号は、結合される前記少なくとも２つの右側のチャネル信号に関連している前記空間的な位置と、前記オーディオ・シーンの中心面に関して、対称な空間的な位置に関連している、請求項１４に記載のマルチチャネル非相関器。
【請求項１６】
前記マルチチャネル非相関器は、非相関器入力信号の前記第２のセットの非相関器入力信号の数Ｋを記述している複雑さの情報を受信するように構成され、前記マルチチャネル非相関器は、前記複雑さの情報に基づいて、プレミキシング行列（Ｍpre）を選択するように構成される、請求項１ないし請求項１５のいずれかに記載のマルチチャネル非相関器。
【請求項１７】
2020120389.tif 000111
【請求項１８】
2020120389.tif 000112
【請求項１９】
2020120389.tif 000113
【請求項２０】
2020120389.tif 000114
【請求項２１】
符号化表現（１１０；１５１６ａ；１５１６ｂ；１５１８）に基づいて、少なくとも２つの出力オーディオ信号（１１２，１１４；１５５２ａ−１５５２ｎ）を供給するためのマルチチャネル・オーディオ・デコーダ（１００；１５５０）であって、
ここで、前記マルチチャネル・オーディオ・デコーダは、請求項１ないし請求項２０のいずれかに記載のマルチチャネル非相関器（１４０；６００；１５９０；１７００）を含む、マルチチャネル・オーディオ・デコーダ。
【請求項２２】
前記マルチチャネル・オーディオ・デコーダは、複数のレンダリングされたオーディオ信号（１３４，１３６；１５８２ａ−１５８２ｎ QUOTE  ）を得るために、１つ以上のレンダリング・パラメータ（１３２）に基づいて、前記符号化表現に基づいて得られた複数の復号化オーディオ信号（１２２；１５６２ａ−１５６２ｎ）をレンダリングするように構成され、
前記マルチチャネル・オーディオ・デコーダは、前記マルチチャネル非相関器を使用して、前記レンダリングされたオーディオ信号から１つ以上の非相関化オーディオ信号（１４２，１４４；１５９２ａ−１５９２ｎ）を導出するように構成され、ここで、前記レンダリングされたオーディオ信号は、非相関器入力信号の前記第１のセットを構成し、非相関器出力信号の前記第２のセットは、前記非相関化オーディオ信号を構成し、
前記マルチチャネル・オーディオ・デコーダは、前記出力オーディオ信号を得るために、前記レンダリングされたオーディオ信号またはそのスケール化バージョンと前記１つ以上の非相関化オーディオ信号とを結合する（１５０；１５９８）ように構成される、請求項２１に記載のマルチチャネル・オーディオ・デコーダ。
【請求項２３】
前記マルチチャネル・オーディオ・デコーダは、前記符号化表現において含まれる制御情報に基づいて、前記マルチチャネル非相関器による使用のためのプレミキシング行列（Ｍpre）を選択するように構成される、請求項２１または請求項２２に記載のマルチチャネル・オーディオ・デコーダ。
【請求項２４】
前記マルチチャネル・オーディオ・デコーダは、オーディオ・シーンの空間的な位置に伴う前記出力オーディオ信号の配分を記述している出力構造に基づいて、前記マルチチャネル非相関器による使用のためのプレミキシング行列（Ｍpre）を選択するように構成される、請求項２１ないし請求項２３のいずれかに記載のマルチチャネル・オーディオ・デコーダ。
【請求項２５】
前記マルチチャネル・オーディオ・デコーダは、所与の出力構造のための前記符号化表現において含まれる制御情報に基づいて、前記マルチチャネル非相関器による使用のために３つ以上の異なるプレミキシング行列（Ｍpre）の間で選択するように構成され、前記３つ以上の異なるプレミキシング行列の各々は、Ｋ個の非相関器入力信号の前記第２のセットの信号の異なる数に関連している、請求項２１ないし請求項２４のいずれかに記載のマルチチャネル・オーディオ・デコーダ。
【請求項２６】
前記マルチチャネル・オーディオ・デコーダは、前記少なくとも２つの出力オーディオ信号を受信するフォーマット変換器またはレンダラによって使用される混合行列（Ｄｃｏｎｖ，Ｄｒｅｎｄｅｒ）に基づいて、前記マルチチャネル非相関器による使用のためにプレミキシング行列（Ｍpre）を選択するように構成される、請求項２１ないし請求項２５のいずれかに記載のマルチチャネル・オーディオ・デコーダ。
【請求項２７】
前記マルチチャネル・オーディオ・デコーダは、前記少なくとも２つの出力オーディオ信号を受信するフォーマット変換器またはレンダラによって使用される混合行列（Ｄｃｏｎｖ，Ｄｒｅｎｄｅｒ）に等しい前記マルチチャネル非相関器による使用のための前記プレミキシング行列（Ｍpre）を選択するように構成される、請求項２６に記載のマルチチャネル・オーディオ・デコーダ。
【請求項２８】
少なくとも２つの入力オーディオ信号（８１０；８１２）に基づいて符号化表現（８１４）を供給するためのマルチチャネル・オーディオ・エンコーダ（８００）であって、
ここで、前記マルチチャネル・オーディオ・エンコーダは、前記少なくとも２つの入力オーディオ信号に基づき、１つ以上のダウンミックス信号（８２２）を供給するように構成され、
前記マルチチャネル・オーディオ・エンコーダは、前記少なくとも２つの入力オーディオ信号の間の関係を記述している１つ以上のパラメータ（８３２）を供給するように構成され、そして、
前記マルチチャネル・オーディオ・エンコーダは、オーディオ・デコーダのサイドで使用される非相関化の複雑さを記述している非相関化複雑さパラメータ（８４２）を供給するように構成される、マルチチャネル・オーディオ・エンコーダ。
【請求項２９】
複数の非相関器入力信号に基づき複数の非相関化信号を供給するための方法（９００）であって、前記方法は、
Ｋ＜Ｎであり、Ｎ個の非相関器入力信号の第１のセットをＫ個の非相関器入力信号の第２のセットにプレミックスするステップ（９１０）と、
Ｋ個の非相関器入力信号の前記第２のセットに基づき、Ｋ’個の非相関器出力信号の第１のセットを供給するステップ（９２０）と、
Ｎ’＞Ｋ’であり、Ｋ’個の非相関器出力信号の前記第１のセットをＮ’個の非相関器出力信号の第２のセットにアップミックスするステップ（９３０）と、を含む、方法。
【請求項３０】
符号化表現に基づく少なくとも２つの出力オーディオ信号を供給するための方法（１０００）であって、
前記方法は、請求項２９に記載の複数の非相関器入力信号に基づき複数の非相関化信号を供給するステップ（１０２０）を含む、方法。
【請求項３１】
少なくとも２つの入力オーディオ信号に基づく符号化表現を供給するための方法（１１００）であって、前記方法は、
前記少なくとも２つの入力オーディオ信号に基づく１つ以上のダウンミックス信号を供給するステップ（１１１０）と、
前記少なくとも２つの入力オーディオ信号の間の関係を記述している１つ以上のパラメータを供給するステップ（１１２０）と、
オーディオ・デコーダのサイドで使用される非相関化の複雑さを記述している非相関化複雑さパラメータを供給するステップ（１１３０）と、を含む、方法。
【請求項３２】
コンピュータ・プログラムがコンピュータ上で実行されると、前記コンピュータが請求項２９、請求項３０または請求項３１に記載の方法を実行する、コンピュータ・プログラム。
【請求項３３】
符号化オーディオ表現（１２００）は、
ダウンミックス信号の符号化表現（１２１０）、
前記少なくとも２つの入力オーディオ信号の間の関係を記述している１つ以上のパラメータの符号化表現（１２２０）、および
オーディオ・デコーダのサイドで使用される非相関化の複雑さを記述している符号化非相関化複雑さパラメータを含む、符号化オーディオ表現。
【発明の詳細な説明】
【技術分野】
【０００１】
本発明による実施の形態は、複数の非相関器入力信号に基づいて、複数の非相関化信号を供給するためのマルチチャネル非相関器に関する。
【０００２】
本発明による更なる実施の形態は、符号化表現に基づいて、少なくとも２つの出力オーディオ信号を供給するためのマルチチャネル・オーディオ・デコーダに関する。
【０００３】
本発明による更なる実施の形態は、少なくとも２つの入力オーディオ信号に基づく符号化表現を供給するためのマルチチャネル・オーディオ・デコーダに関する。
【０００４】
本発明による更なる実施の形態は、複数の非相関器入力信号に基づいて、複数の非相関化信号を供給するための方法に関する。
【０００５】
本発明によるいくつかの実施の形態は、符号化表現に基づいて、少なくとも２つの出力オーディオ信号を供給するための方法に関する。
【０００６】
本発明によるいくつかの実施の形態は、少なくとも２つの入力オーディオ信号に基づいて、符号化表現を供給するための方法に関する。
【０００７】
本発明によるいくつかの実施の形態は、前記方法のうちの１つを実行するためのコンピュータ・プログラムに関する。
【０００８】
本発明によるいくつかの実施の形態は、符号化オーディオ表現に関する。
【０００９】
一般的に言って、本発明によるいくつかの実施の形態は、マルチチャネル・ダウンミックス／アップミックスパラメトリックオーディオ・オブジェクト符号化システムのための非相関化コンセプトに関する。
【背景技術】
【００１０】
近年、オーディオ・コンテンツの記憶および送信の需要は、着実に増加した。さらに、オーディオ・コンテンツの記憶および送信のための良質な要件も、着実に増加した。従って、オーディオ・コンテンツの符号化および復号化のためのコンセプトは、強化されている。
【００１１】
例えば、いわゆる、開発された「先進的音響符号化（Ａｄｖａｎｃｅｄ  Ａｕｄｉｏ  Ｃｏｄｉｎｇ（ＡＡＣ））」は、国際標準ＩＳＯ／ＩＥＣ  １３８１８−７：２００３において記述されている。さらに、例えば、国際標準ＩＳＯ／ＩＥＣ  ２３００３−１：２００７において、例えば、記述された、いわゆる「ＭＰＥＧサラウンド」のように、いくつかの空間的な拡張が作成された。さらに、オーディオ信号の空間的な情報の符号化および復号化のためのさらなる改良が、いわゆる「空間オーディオ・オブジェクト符号化（Ｓｐａｔｉａｌ  Ａｕｄｉｏ  Ｏｂｊｅｃｔ  Ｃｏｄｉｎｇ）」に関する国際標準ＩＳＯ／ＩＥＣ  ２３００３−２：２０１０において記述される。
【００１２】
さらに、良好な符号化効率を有する一般のオーディオ信号およびスピーチ信号の両方を符号化して、マルチチャネル・オーディオ信号を扱うという可能性を提供する切り替え可能なオーディオ符号化／復号化のコンセプトは、いわゆる「統一のスピーチおよびオーディオ符号化（Ｕｎｉｆｉｅｄ  Ｓｐｅｅｃｈ  ａｎｄ  Ａｕｄｉｏ  Ｏｂｊｅｃｔ  Ｃｏｄｉｎｇ）」に関する国際標準ＩＳＯ／ＩＥＣ２３００３−３：２０１２において記述される。
【００１３】
さらに、更なる従来の概念が、本記述の最後において言及される参考文献において記述される。
【先行技術文献】
【特許文献】
【００１４】
【特許文献１】国際公開第２００６／０２６４５２号
【非特許文献】
【００１５】
【非特許文献１】［ＢＣＣ］ C. Faller and F. Baumgarte, "Binaural Cue Coding - Part II: Schemes and applications," IEEE Trans. on Speech and Audio Proc., vol. 11, no. 6, Nov. 2003.
【非特許文献２】［Ｂｌａｕｅｒｔ］J. Blauert, "Spatial Hearing - The Psychophysics of Human Sound Localization", Revised Edition, The MIT Press, London, 1997.
【非特許文献３】［ＪＳＣ］ C. Faller, "Parametric Joint-Coding of Audio Sources", 120th AES Convention, Paris, 2006.
【非特許文献４】［ＩＳＳ１］ M. Parvaix and L. Girin: "Informed Source Separation of underdetermined instantaneous Stereo Mixtures using Source Index Embedding", IEEE ICASSP, 2010.
【非特許文献５】［ＩＳＳ２］ M. Parvaix, L. Girin, J.-M. Brossier: "A watermarking-based method for informed source separation of audio signals with a single sensor", IEEE Transactions on Audio, Speech and Language Processing, 2010.
【非特許文献６】［ＩＳＳ３］ A. Liutkus and J. Pinel and R. Badeau and L. Girin and G. Richard: "Informed source separation through spectrogram coding and data embedding", Signal Processing Journal, 2011.
【非特許文献７】［ＩＳＳ４］ A. Ozerov, A. Liutkus, R. Badeau, G. Richard: "Informed source separation: source coding meets source separation", IEEE Workshop on Applications of Signal Processing to Audio and Acoustics, 2011.
【非特許文献８】［ＩＳＳ５］ S. Zhang and L. Girin: "An Informed Source Separation System for Speech Signals", INTERSPEECH, 2011.
【非特許文献９】［ＩＳＳ６］ L. Girin and J. Pinel: "Informed Audio Source Separation from Compressed Linear Stereo Mixtures", AES 42nd International Conference: Semantic Audio, 2011.
【非特許文献１０】［ＭＰＳ］ ISO/IEC, "Information technology - MPEG audio technologies - Part 1: MPEG Surround," ISO/IEC JTC1/SC29/WG11 (MPEG) international Standard 23003-1:2006.
【非特許文献１１】［ＯＣＤ］ J. Vilkamo, T. Baeckstroem, and A. Kuntz. "Optimized covariance domain framework for time-frequency processing of spatial audio", Journal of the Audio Engineering Society, 2013. in press.
【非特許文献１２】［ＳＡＯＣ１］ J. Herre, S. Disch, J. Hilpert, O. Hellmuth: "From SAC To SAOC - Recent Developments in Parametric Coding of Spatial Audio", 22nd Regional UK AES Conference, Cambridge, UK, April 2007.
【非特許文献１３】［ＳＡＯＣ２］ J. Engdegard, B. Resch, C. Falch, O. Hellmuth, J. Hilpert, A. Hoelzer, L. Terentiev, J. Breebaart, J. Koppens, E. Schuijers and W. Oomen: " Spatial Audio Object Coding (SAOC) - The Upcoming MPEG Standard on Parametric Object Based Audio Coding", 124th AES Convention, Amsterdam 2008.
【非特許文献１４】［ＳＡＯＣ］ ISO/IEC, "MPEG audio technologies - Part 2: Spatial Audio Object Coding (SAOC)," ISO/IEC JTC1/SC29/WG11 (MPEG) International Standard 23003-2.
【発明の概要】
【発明が解決しようとする課題】
【００１６】
しかしながら、３次元オーディオ・シーンの効果的な符号化および復号化のためのさらなる進歩的な概念を提供することが切望されている。
【課題を解決するための手段】
【００１７】
本発明による実施の形態は、複数の非相関化入力信号に基づいて、複数の非相関化信号を供給するためのマルチチャネル非相関器をもたらす。マルチチャネル非相関器は、Ｎ個の非相関器入力信号の第１のセットをＫ個の非相関器入力信号の第２のセットにプレミックスするように構成され、ここで、Ｋ＜Ｎである。マルチチャネル非相関器は、Ｋ個の非相関器入力信号の第２のセットに基づいて、Ｋ’個の非相関器出力信号の第１のセットを供給するように構成される。マルチチャネル非相関器は、更に、Ｋ’個の非相関器出力信号の第１のセットをＮ’個の非相関器出力信号の第２のセットにアップミックスするように構成され、ここで、Ｎ’＞Ｋ’である。
【００１８】
本発明によるこの実施の形態は、非相関化の複雑さが、Ｎ個の非相関器入力信号の第１のセットをＫ個の非相関器入力信号の第２のセットにプレミックスすることによって低減されるというアイデアに基づいており、Ｋ個の非相関器入力信号の第２のセットは、Ｎ個の非相関器入力信号の第１のセットよりも少ない信号を含む。従って、例えば、Ｋ個の（個々の）非相関器（または個々の非相関化）のみが必要されるように（そして、Ｎ個の非相関器を必要としないように）、基本的な非相関器の機能性は、Ｋ個の信号（第２のセットのＫ個の非相関器入力信号）のみに行われる。さらに、Ｎ’個の非相関器出力信号を供給するために、アップミックが行われ、Ｋ’個の非相関器出力信号の第１のセットは、Ｎ’個の非相関器出力信号の第２のセットにアップミックスされる。従って、比較的多数の非相関器入力信号（すなわち、非相関器入力信号の第１のセットのＮ個の信号）に基づいて、比較的多数の非相関化信号（すなわち、非相関化出力信号の第２のセットのＮ’個の信号）を得ることが可能である。コアとなる非相関化の機能性は、（例えば、Ｋ個の個々の非相関器を使用して）Ｋ個の信号のみに基づいて行われる。このように、非相関化の効率における有意な利得は、処理パワーおよびリソース（例えば、エネルギー）を確保しておくために役立つことを実現する。
【００１９】
好ましい実施の形態において、非相関器入力信号の第２のセットの信号の数Ｋは、非相関器出力信号の第１のセットの信号の数Ｋ’に等しい。従って、例えば、Ｋ個の個々の非相関器があり、各々のそれが、プレミックスから、（非相関器入力信号の第２のセットの）１つの非相関器入力信号を受信し、そして、各々のそれが、アップミックスに、（非相関器出力信号の第１のセットの）１つの非相関器出力信号を供給する。このように、シンプルな個々の非相関器が使用され、各々のそれが、１つの入力信号に基づいて１つの出力信号を供給する。
【００２０】
他の好ましい実施の形態において、非相関器入力信号の第１のセットの信号の数Ｎは、非相関器出力信号の第２のセットの信号の数Ｎ’に等しい。このように、マルチチャネル非相関器がＮ個の独立した非相関器のバンクのように、外側から出現するように、マルチチャネル非相関器によって受信された信号の数は、マルチチャネル非相関器によって供給された信号の数と等しい（ここで、しかしながら、非相関化の結果は、コアとなる非相関器に対してＫ個の入力信号のみを使用するためにいくつかの欠陥を含みうる。）。従って、マルチチャネル非相関器は、入力信号および出力信号の等しい数を有する従来の非相関器に完全互換として使用されうる。さらに、例えば、アップミックスは、適度な努力を伴うそのような構造で、プレミックスから導出されうる。
【００２１】
好ましい実施の形態において、非相関器入力信号の第１のセットの信号の数Ｎは、３以上であり、非相関器出力信号の第２のセットの信号の数Ｎ’も、３以上である。そのような場合において、マルチチャネル非相関器は、特に効率よく供給しうる。
【００２２】
好ましい実施の形態において、マルチチャネル非相関器は、プレミキシング行列を使用して（すなわち、線形プレミキシング機能性を使用して）、Ｎ個の非相関器入力信号の第１のセットをＫ個の非相関器入力信号の第２のセットにプレミックスするように構成される。この場合において、マルチチャネル非相関器は、（例えば、個々の非相関器を使用して）Ｋ個の非相関器入力信号の第２のセットに基づいて、Ｋ’個の非相関器出力信号の第１のセットを得るように構成されうる。マルチチャネル非相関器は、ポストミキシング行列を使用して、すなわち、線形ポストミックス関数を使用して、Ｋ’個の非相関器出力信号の第１のセットをＮ’個の非相関器出力信号の第２のセットにアップミックスするようにも構成されうる。従って、歪みが小さく保たれうる。また、プレミックスおよびポストミックス（また、アップミックスとして指定される）は、計算的に効率のよい方法で実行されうる。
【００２３】
好ましい実施の形態において、マルチチャネル非相関器は、Ｎ個の非相関器入力信号の第１のセットのチャネル信号が関連している空間的位置に基づいて、プレミキシング行列を選択するように構成されうる。従って、空間依存度（または相関）は、プレミックス処理において考慮され、そして、それは、マルチチャネル非相関器において実行されるプレミックス処理に起因して、過剰分解を回避するのに役立つ。
【００２４】
好ましい実施の形態において、マルチチャネル非相関器は、Ｎ個の非相関器入力信号の第１のセットのチャネル信号の相関特性または共分散特性に基づいて、プレミキシング行列を選択するように構成されうる。そのような機能性は、マルチチャネル非相関器によって実行されるプレミックスに起因して、過剰分解を回避するにも役立ちうる。例えば、（すなわち、高い相互相関または高い相互共分散を含む）大いに関係がある（非相関化入力信号の第１のセットの）非相関器入力信号は、例えば、非相関器入力信号の第２のセットの単一の非相関器入力信号に結合され、そして、例えば、（非相関器の主要部の）共通の個々の非相関器によって、その結果として、処理されうる。このように、これは、（オーディオ信号を所望の相互相関特性または相互共分散特性に持ってくるために使用される場合、例えば、空間的な認知を阻害する）典型的に、不適当な非相関器出力信号を結果として得るので、（非相関器入力信号の第１のセットの）実質的に異なる非相関器入力信号は、非相関器の主要部に入力される（非相関器入力信号の第２のセットの）単一の非相関器入力信号にプレミックス（またはダウンミックス）されるのを回避されうる。従って、マルチチャネル非相関器は、信号が、非相関化の効率およびオーディオ品質の間の良好な妥協を許容するためのプレミックス（またはダウンミックス）処理において結合されうる、知的な方法で決定しうる。
【００２５】
好ましい実施の形態において、プレミキシング行列およびそのエルミートの間の行列積が反転操作に関して良好であるように、マルチチャネル非相関器は、プレミキシング行列を決定するように構成される。従って、プレミキシング行列は、ポストミキシング行列が数値問題なしに決定されうるように選択されうる。
【００２６】
好ましい実施の形態において、マルチチャネル非相関器は、いくつかの行列の乗算および行列の反転操作を使用してプレミキシング行列に基づいてポストミキシング行列を得るように構成される。このような方法で、ポストミキシング行列がプレミキシング処理にうまく適合するように、ポストミキシング行列は、効率よく得られうる。
【００２７】
好ましい実施の形態において、マルチチャネル非相関器は、Ｎ個の非相関器入力信号の第１のセットのチャネル信号に関連しているレンダリング構造についての情報を受信するように構成される。この場合において、マルチチャネル非相関器は、レンダリング構造についての情報に基づいて、プレミキシング行列を選択するように構成される。従って、良好なオーディオ品質が得られるように、プレミキシング行列は、レンダリング構造にうまく適応する方法で選択されうる。
【００２８】
好ましい実施の形態において、マルチチャネル非相関器は、プレミックスを実行する場合、オーディオ・シーンの空間的に隣接する位置に関連するＮ個の非相関器入力信号の第１のセットのチャネル信号を結合するように構成される。このように、オーディオ・シーンの空間的に隣接する位置に関連するチャネル信号が典型的に類似であるという事実が、プレミックスを設定する場合に活用される。その結果として、類似のオーディオ信号が、プレミックスにおいて結合され、非相関器の主要部において同じ個々の非相関器を使用して処理されうる。従って、オーディオ・コンテンツの容認できない劣化が回避されうる。
【００２９】
好ましい実施の形態において、マルチチャネル非相関器は、プレミックスを実行する場合、オーディオ・シーンの垂直な空間的に隣接する位置に関連するＮ個の非相関器入力信号の第１のセットのチャネル信号を結合するように構成される。このコンセプトは、オーディオ・シーンの垂直な空間的に隣接する位置からのオーディオ信号は、典型的には類似している知見に基づく。さらに、人間の知覚は、オーディオ・シーンの垂直な空間的に隣接する位置に関連する信号の間の差に関して、特別に敏感ではない。従って、オーディオ・シーンの垂直な空間的に隣接する位置に関連するオーディオ信号の結合は、非相関化オーディオ信号に基づいて得られる聴覚印象の実在する劣化を結果として生じないことが分かっている。
【００３０】
好ましい実施の形態において、マルチチャネル非相関器は、左側位置および右側位置を含む空間的な位置の水平のペアに関連するＮ個の非相関器入力信号の第１のセットのチャネル信号を結合するように構成されうる。空間的な位置の水平のペアに関連するチャネル信号は、典型的には、空間的な印象を得るために使用されるので、左側位置および右側位置を含む空間的な位置の水平のペアに関連するチャネル信号は、典型的には、若干関係することが分かっている。従って、空間的な位置の水平のペアに関連するチャネル信号を結合することは、聴覚印象の適度な劣化を結果として生じないので、例えば、オーディオ・シーンの垂直な空間的に隣接する位置に関連するチャネル信号を結合することが十分でない場合、それは、空間的な位置の水平のペアに関連するチャネル信号を結合するための理にかなった解決策であることが分かっている。
【００３１】
好ましい実施の形態において、マルチチャネル非相関器は、Ｎ個の非相関器入力信号の第１のセットの少なくとも４つのチャネル信号を結合するように構成される。ここで、少なくとも４つのチャネル信号のうち少なくとも２つは、オーディオ・シーンの左側における空間的な位置に関連し、少なくとも４つのチャネル信号のうち少なくとも２つは、オーディオ・シーンの右側における空間的な位置に関連している。従って、効率的な相関化が、かなりの聴覚印象を含むことなく得られうるように、４つ以上のチャネル信号が結合される。
【００３２】
好ましい実施の形態において、結合される少なくとも２つの左側のチャネル信号（すなわち、オーディオ・シーンの左側における空間的な位置に関連するチャネル信号）は、結合される少なくとも２つの右側のチャネル信号（すなわち、オーディオ・シーンの右側における空間的な位置に関連するチャネル信号）に関連している空間的な位置と、オーディオ・シーンの中心面に関して、対称な空間的な位置に関連している。共通の（結合される）非相関化を実行するために有利である、そのような「対称な」空間的な位置に関連している信号は、典型的には、若干関連しているので、「対称な」空間的な位置に関連しているチャネル信号の結合は、典型的には、良好な結果をもたらすことが分かっている。
【００３３】
好ましい実施の形態において、マルチチャネル非相関器は、非相関器入力信号の第２のセットの非相関器入力信号の数Ｋを低減する複雑さの情報を受信するように構成される。この場合において、マルチチャネル非相関器は、複雑さの情報に基づいて、プレミキシング行列を選択するように構成される。従って、マルチチャネル非相関器は、異なる複雑さの前提条件に柔軟に適合されうる。このように、オーディオ品質と複雑さとの間における妥協に変化をもたせることができる。
【００３４】
好ましい実施の形態において、マルチチャネル非相関器は、複雑さの情報の値の低減に伴って、非相関器入力信号の第２のセットの非相関器入力信号を得るために、一緒に結合される非相関器入力信号の第１のセットの非相関器入力信号の数を除々に（例えば、ステップごとに）増加するように構成される。従って、それは、小さな努力によって複雑さを変えるために許容する複雑さを減少させるために要求される場合、非相関器入力信号の第１のセットの非相関器入力信号を（例えば、非相関器入力信号の第２のセットの単一の非相関器入力信号に）さらに結合することが可能である。
【００３５】
好ましい実施の形態において、複雑さの情報の第１の値に対してプレミックスを実行する場合、マルチチャネル非相関器は、オーディオ・シーンの垂直な空間的に隣接する位置に関連しているＮ個の非相関器入力信号の第１のセットのチャネル信号のみを結合するように構成される。一方、マルチチャネル非相関器は、複雑さの情報の第２の値に対してプレミックスを実行する場合、非相関器入力信号の第２のセットの所与の信号を得るために、オーディオ・シーンの左側において垂直な空間的に隣接する位置に関連しているＮ個の非相関器入力信号の第１のセットの少なくとも２つのチャネル信号と、オーディオ・シーンの右側において垂直な空間的に隣接する位置に関連しているＮ個の非相関器入力信号の第１のセットの少なくとも２つのチャネル信号とを結合するように（も）構成される。換言すれば、複雑さの情報の第１の値に対して、オーディオ・シーンの異なる側からのチャネル信号の結合は、実行されない。それは、オーディオ信号（および、非相関化オーディオ信号に基づいて得られうる、聴覚印象）の特に良好な結果を生じる。その一方、より小さい複雑さが必要とされる場合、水平のコンビネーションは、垂直のコンビネーションに加えて実行されうる。複雑さのステップごとの調整のためのこの合理的コンセプトは分かっており、聴覚印象のいくらかより高い劣化が低減された複雑さのために見つけられる。
【００３６】
好ましい実施の形態において、マルチチャネル非相関器は、Ｎ個の非相関器入力信号の第１のセットの少なくとも４つのチャネル信号を結合するように構成され、ここで、複雑さの情報の第２の値のためのプレミックスを実行する場合、少なくとも４つのチャネル信号のうち少なくとも２つは、オーディオ・シーンの左側における空間的な位置に関連し、少なくとも４つのチャネル信号のうち少なくとも２つは、オーディオ・シーンの右側における空間的な位置に関連している。たとえ、チャネル信号が、垂直に隣接していなくても（または、少なくとも完全に垂直に隣接していなくても）、このコンセプトは、比較的低い計算の複雑性が、オーディオ・シーンの左側における空間的な位置に関連している少なくとも２つのチャネル信号およびオーディオ・シーンの右側における空間的な位置に関連している少なくとも２つのチャネル信号を結合することによって得られうるとの知見に基づいている。
【００３７】
好ましい実施の形態において、マルチチャネル非相関器は、非相関器入力信号の第２のセットの第１の非相関器入力信号を得るために、オーディオ・シーンの左側における垂直な空間的に隣接する位置に関連しているＮ個の非相関器入力信号の第１のセットの少なくとも２つのチャネル信号を結合し、そして、複雑さの情報の第１の値に対する非相関器入力信号の第２のセットの第２の非相関器入力信号を得るために、オーディオ・シーンの右側の垂直な空間的に隣接する位置に関連しているＮ個の非相関器入力信号の第１のセットの少なくとも２つのチャネル信号を結合するように構成される。さらに、マルチチャネル非相関器は、複雑さの情報の第２の値に対して非相関器入力信号の第２のセットの非相関器入力信号を得るために、オーディオ・シーンの左側において垂直な空間的に隣接する位置に関連しているＮ個の非相関器入力信号の第１のセットの少なくとも２つのチャネル信号と、オーディオ・シーンの右側における垂直な空間的に隣接する位置に関連しているＮ個の非相関器入力信号の第１のセットの少なくとも２つのチャネル信号とを結合するように、好ましくは構成される。この場合において、非相関器入力信号の第２のセットの非相関器入力信号の数は、複雑さの情報の第２の値に対してよりも複雑さの情報の第１の値に対して大きい。換言すれば、複雑さの情報の第１の値に対して非相関化入力信号の第２のセットの２つの非相関器入力信号を得るために使用される４つのチャネル信号は、複雑さの情報の第２の値に対して非相関器入力信号の第２のセットの単一の非相関器入力信号を得るために使用されうる。このように、複雑さの情報の第１の値に対して２つの個々の非相関器のための入力信号として役立つ信号は、複雑さの情報の第２の値に対して単一の個々の非相関器を得るための入力信号として役立つように結合される。このように、個々の非相関器の数（または、非相関器入力信号の第２のセットの非相関器入力信号の数）の効率的な低減は、複雑さの情報の低減された値のために得られうる。
【００３８】
本発明による実施の形態は、符号化表現に基づいて少なくとも２つの出力オーディオ信号を供給するためのマルチチャネル・オーディオ・デコーダをもたらす。マルチチャネル・オーディオ・デコーダは、本願明細書で議論されるようなマルチチャネル非相関器を含む。
【００３９】
この実施の形態は、マルチチャネル・オーディオ非相関器が、マルチチャネル・オーディオ・デコーダにおけるアプリケーションのために適切であるという知見に基づく。
【００４０】
好ましい実施の形態において、マルチチャネル・オーディオ・デコーダは、複数のレンダリングされたオーディオ信号を得るために、１つ以上のレンダリング・パラメータに基づいて、符号化表現に基づいて得られた複数の復号化オーディオ信号をレンダリングするように構成される。マルチチャネル・オーディオ・デコーダは、マルチチャネル非相関器を使用して、レンダリングされたオーディオ信号から１つ以上の非相関化オーディオ信号を導出するように構成される。ここで、レンダリングされたオーディオ信号は、非相関器入力信号の第１のセットを構成し、非相関器出力信号の第２のセットは、非相関化オーディオ信号を構成する。マルチチャネル・オーディオ・デコーダは、出力オーディオ信号を得るために、レンダリングされたオーディオ信号またはそのスケール化バージョンと（非相関化出力信号の第２のセットの）１つ以上の非相関化オーディオ信号を結合するように構成される。本発明による実施の形態は、本願明細書に記載されるマルチチャネル非相関器が、ポストレンダリング処理によく適合しているという知見に基づく。ここで、比較的多数のレンダリングされたオーディオ信号が、マルチチャネル非相関器に入力され、そのとき、比較的多数の非相関化信号が、レンダリングされたオーディオ信号と結合される。さらに、比較的少数の個々の非相関器（マルチシャネル非相関器における複雑さの低減）の使用によって生じる欠陥は、典型的には、マルチチャネル・デコーダによって出力された出力オーディオ信号の品質の激しい劣化を結果として生じないことが分かっている。
【００４１】
好ましい実施の形態において、マルチチャネル・オーディオ・デコーダは、符号化表現に含まれる制御情報に基づいてマルチチャネル非相関器による使用のためにプレミキシング行列を選択するように構成される。従って、非相関化の品質は、特定のオーディオ・コンテンツによく適合するように、オーディオ・エンコーダが非相関化の品質の制御することを可能にし、そして、それは、オーディオ品質と非相関化の複雑さとの間における良好なトレードオフをもたらす。
【００４２】
好ましい実施の形態において、マルチチャネル・オーディオ・デコーダは、オーディオ・シーンの空間的な位置に伴う出力オーディオ信号の配分を記述している出力構造に基づいて、マルチチャネル非相関器による使用のためのプレミキシング行列を選択するように構成される。従って、マルチチャネル非相関器は、特定のレンダリングシナリオに適合し、そして、それは、効率的な非相関化によってオーディオ品質の相当な劣化を回避することに役立つ。
【００４３】
好ましい実施の形態において、マルチチャネル・オーディオ・デコーダは、所与の出力表現のための符号化表現において含まれる制御情報に基づいて、マルチチャネル非相関器による使用のために３つ以上の異なるプレミキシング行列の間で選択するように構成される。この場合において、３つ以上の異なるプレミキシング行列の各々は、Ｋ個の非相関器入力信号の第２のセットの信号の異なる数に関連している。このように、非相関化の複雑さは、広い範囲にわたって調整されうる。
【００４４】
好ましい実施の形態において、マルチチャネル・オーディオ・デコーダは、少なくとも２つの出力オーディオ信号を受信するフォーマット変換器またはレンダラによって使用される混合行列（Ｄｃｏｎｖ，Ｄｒｅｎｄｅｒ）に基づいて、マルチチャネル非相関器による使用のためにプレミキシング行列（Ｍpre）を選択するように構成される。
【００４５】
００１６
他の実施の形態において、マルチチャネル・オーディオ・デコーダは、少なくとも２つの出力オーディオ信号を受信するフォーマット変換器またはレンダラによって使用される混合行列（Ｄｃｏｎｖ，Ｄｒｅｎｄｅｒ）に等しいマルチチャネル非相関器による使用のためのプレミキシング行列（Ｍpre）を選択するように構成される。
【００４６】
本発明による実施の形態は、少なくとも２つの入力オーディオ信号に基づいて符号化表現を供給するためのマルチチャネル・オーディオ・エンコーダをもたらす。マルチチャネル・オーディオ・エンコーダは、少なくとも２つの入力オーディオ信号に基づき、１つ以上のダウンミックス信号を供給するように構成される。マルチチャネル・オーディオ・エンコーダは、少なくとも２つの入力オーディオ信号の間の関係を記述している１つ以上のパラメータを供給するようにも構成される。さらに、マルチチャネル・オーディオ・エンコーダは、オーディオ・デコーダのサイドで使用されるべき非相関化の複雑さを記述している非相関化複雑さパラメータを供給するように構成される。従って、マルチチャネル・オーディオ・エンコーダは、非相関化の複雑さが、マルチチャネル・オーディオ・エンコーダによって符号化されるオーディオ・コンテンツの前提条件に調整されうるように、上記のマルチチャネル・オーディオ・デコーダを制御しうる。
【００４７】
本発明による他の実施の形態は、複数の非相関器入力信号に基づき複数の非相関化信号を供給するための方法をもたらす。方法は、Ｋ＜Ｎであり、Ｎ個の非相関器入力信号の第１のセットをＫ個の非相関器入力信号の第２のセットにプレミックスするステップを含む。方法は、Ｋ個の非相関器入力信号の第２のセットに基づくＫ’個の非相関器出力信号の第１のセットを供給するステップも含む。さらに、方法は、Ｎ’＞Ｋ’であり、Ｋ’個の非相関器出力信号の第１のセットをＮ’個の非相関器出力信号の第２のセットにアップミックスするステップを含む。この方法は、上記のマルチチャネル非相関器として同様のアイデアに基づく。
【００４８】
本発明による他の実施の形態は、符号化表現に基づく少なくとも２つの出力オーディオ信号を供給するための方法をもたらす。方法は、上記に記載される複数の非相関器入力信号に基づく複数の非相関化信号を供給するステップを含む。この方法は、前述のマルチチャネル・オーディオ・デコーダとしての同様の知見に基づく。
【００４９】
他の実施の形態は、少なくとも２つの入力オーディオ信号に基づく符号化表現を供給するための方法をもたらす。方法は、少なくとも２つの入力オーディオ信号に基づく１つ以上のダウンミックス信号を供給するステップを含む。方法は、少なくとも２つの入力オーディオ信号の間の関係を記述している１つ以上のパラメータを供給するステップも含む。さらに、方法は、オーディオ・デコーダのサイドにおいて使用される非相関化の複雑さを記述している非相関化複雑さパラメータを供給するステップを含む。この方法は、上記のオーディオ・エンコーダとしての同様のアイデアに基づく。
【００５０】
さらに、本発明による実施の形態は、前記の方法を実行するためのコンピュータ・プログラムをもたらす。
【００５１】
本発明による他の実施の形態は、符号化オーディオ表現をもたらす。符号化オーディオ表現は、ダウンミックス信号の符号化表現および少なくとも２つの入力オーディオ信号の間の関係を記述している１つ以上のパラメータの符号化表現を含む。さらに、符号化オーディオ表現は、オーディオ・デコーダのサイドで使用される複数の非相関化モードのうちの非相関化モードを記述している符号化非相関化方法パラメータを含む。従って、符号化オーディオ表現は、上記のマルチチャネル非相関器と同様に上記のマルチチャネル・オーディオ・デコーダを制御することを許容する。
【００５２】
さらに、上記の方法は、前述の装置に関して記述されるいくつかの特徴および機能性によって補充される点に留意されたい。
【００５３】
本発明の好ましい実施の形態は、添付の図面に関してその後述べられる。
【図面の簡単な説明】
【００５４】
【図１】図１は、本発明の実施の形態によるマルチチャネル・オーディオ・デコーダのブロック概略図を示す。
【図２】図２は、本発明の実施の形態によるマルチチャネル・オーディオ・エンコーダのブロック概略図を示す。
【図３】図３は、本発明の実施の形態による符号化表現に基づいて少なくとも２つの出力オーディオ信号を供給するための方法のフローチャートを示す。
【図４】図４は、本発明の実施の形態による少なくとも２つの入力オーディオ信号に基づいて符号化表現を供給するための方法のフローチャートを示す。
【図５】図５は、本発明の実施の形態による符号化オーディオ表現の概略図を示す。
【図６】図６は、本発明の実施の形態によるマルチチャネル非相関器のブロック概略図を示す。
【図７】図７は、本発明の実施の形態によるマルチチャネル・オーディオ・デコーダのブロック概略図を示す。
【図８】図８は、本発明の実施の形態によるマルチチャネル・オーディオ・エンコーダのブロック概略図を示す。
【図９】図９は、本発明の実施の形態による複数の非相関化入力信号に基づいて複数の非相関化信号を供給するための方法のフローチャートを示す。
【図１０】図１０は、本発明の実施の形態による符号化表現に基づいて少なくとも２つの出力オーディオ信号を供給するための方法のフローチャートを示す。
【図１１】図１１は、本発明の実施の形態による少なくとも２つの入力オーディオ信号に基づいて符号化表現を供給するための方法のフローチャートを示す。
【図１２】図１２は、本発明の実施の形態による符号化表現の概略図を示す。
【図１３】図１３は、パラメトリックダウンミックス／アップミックスのコンセプトに基づくＭＭＳＥの概観を提供する概略図である。
【図１４】図１４は、３次元空間における直角原理のための幾何学的な表現を示す。
【図１５】図１５は、本発明の実施の形態によるレンダリングされた出力に適用される非相関化を伴うパラメトリック再構成システムのブロック概略図を示す。
【図１６】図１６は、非相関化装置のブロック概略図を示す。
【図１７】図１７は、本発明の実施の形態による低減された複雑さの非相関化装置のブロック概略図を示す。
【図１８】図１８は、本発明の実施の形態によるスピーカ位置のテーブル表現を示す。
【図１９ａ】図１９ａは、Ｎ＝２２およびＫが５と１１との間であるプレミキシング係数のテーブル表現を示す。
【図１９ｂ】図１９ｂは、Ｎ＝２２およびＫが５と１１との間であるプレミキシング係数のテーブル表現を示す。
【図１９ｃ】図１９ｃは、Ｎ＝２２およびＫが５と１１との間であるプレミキシング係数のテーブル表現を示す。
【図１９ｄ】図１９ｄは、Ｎ＝２２およびＫが５と１１との間であるプレミキシング係数のテーブル表現を示す。
【図１９ｅ】図１９ｅは、Ｎ＝２２およびＫが５と１１との間であるプレミキシング係数のテーブル表現を示す。
【図１９ｆ】図１９ｆは、Ｎ＝２２およびＫが５と１１との間であるプレミキシング係数のテーブル表現を示す。
【図１９ｇ】図１９ｇは、Ｎ＝２２およびＫが５と１１との間であるプレミキシング係数のテーブル表現を示す。
【図２０ａ】図２０ａは、Ｎ＝１０およびＫが２と５との間であるプレミキシング係数のテーブル表現を示す。
【図２０ｂ】図２０ｂは、Ｎ＝１０およびＫが２と５との間であるプレミキシング係数のテーブル表現を示す。
【図２０ｃ】図２０ｃは、Ｎ＝１０およびＫが２と５との間であるプレミキシング係数のテーブル表現を示す。
【図２０ｄ】図２０ｄは、Ｎ＝１０およびＫが２と５との間であるプレミキシング係数のテーブル表現を示す。
【図２１ａ】図２１ａは、Ｎ＝８およびＫが２と４との間であるプレミキシング係数のテーブル表現を示す。
【図２１ｂ】図２１ｂは、Ｎ＝８およびＫが２と４との間であるプレミキシング係数のテーブル表現を示す。
【図２１ｃ】図２１ｃは、Ｎ＝８およびＫが２と４との間であるプレミキシング係数のテーブル表現を示す。
【図２１ｄ】図２１ｄは、Ｎ＝７およびＫが２と４との間であるプレミキシング係数のテーブル表現を示す。
【図２１ｅ】図２１ｅは、Ｎ＝７およびＫが２と４との間であるプレミキシング係数のテーブル表現を示す。
【図２１ｆ】図２１ｆは、Ｎ＝７およびＫが２と４との間であるプレミキシング係数のテーブル表現を示す。
【図２２ａ】図２２ａは、Ｎ＝５およびＫ＝３である係数のプレミキシングのテーブル表現を示す。
【図２２ｂ】図２２ｂは、Ｎ＝５およびＫ＝２であるプレミキシング係数のテーブル表現を示す。
【図２３】図２３は、Ｎ＝２およびＫ＝１であるプレミキシング係数のテーブル表現を示す。
【図２４】図２４は、チャネル信号のグループのテーブル表現を示す。
【図２５】図２５は、ＳＡＯＣＳｐｅｃｉｆｉｇＣｏｎｆｉｇ（）の構文または同等のＳＡＯＣ３ＤＳｐｅｃｉｆｉｃＣｏｎｆｉｇ（）に含まれる付加的なパラメータの構文表現を示す。
【図２６】図２６は、ビットストリーム変数ｂｓＤｅｃｏｒｒｅｌａｔｉｏｎＭｅｔｈｏｄのための異なる値のテーブル表現を示す。
【図２７】図２７は、ビットストリーム変数ｂｓＤｅｃｏｒｒｅｌａｔｉｏｎＬｅｖｅｌによって指し示される異なる非相関化レベルおよび出力構成のための非相関器の数のテーブル表現を示す。
【図２８】図２８は、ブロック概略図の形式において、３Ｄオーディオ・エンコーダの上の概要を示す。
【図２９】図２９は、ブロック概略図の形式において、３Ｄオーディオ・デコーダの上の概要を示す。
【図３０】図３０は、フォーマット変換器の構造のブロック概略図を示す。
【図３１】図３１は、本発明の実施の形態によるダウンミックス・プロセッサのブロック概略図を示す。
【図３２】図３２は、ＳＡＯＣダウンミックスオブジェクトの異なる数のための復号化モードのテーブル表現を示す。
【図３３ａ−１】図３３ａ−１は、ビットストリーム要素「ＳＡＯＣ３ＤＳｐｅｃｉｆｉｃＣｏｎｆｉｇ」の構文表現を示す。
【図３３ａ−２】図３３ａ−２は、ビットストリーム要素「ＳＡＯＣ３ＤＳｐｅｃｉｆｉｃＣｏｎｆｉｇ」の構文表現を示す。
【図３３ｂ】図３３ｂは、ビットストリーム要素「ＳＡＯＣ３ＤＳｐｅｃｉｆｉｃＣｏｎｆｉｇ」の構文表現を示す。
【発明を実施するための形態】
【００５５】
１．図１によるマルチチャネル・オーディオ・デコーダ
図１は、本発明の実施の形態によるマルチチャネル・オーディオ・デコーダ１００のブロック概略図を示す。
【００５６】
マルチチャネル・オーディオ・デコーダ１００は、符号化表現１１０を受信して、それに基づいて、少なくとも２つの出力オーディオ信号１１２，１１４を供給するように構成される。
【００５７】
好ましくは、マルチチャネル・オーディオ・デコーダ１００は、符号化表現１１０に基づいて復号化オーディオ信号１２２を供給するように構成されるデコーダ１２０を含む。さらに、マルチチャネル・オーディオ・デコーダ１００は、複数のレンダリングされたオーディオ信号１３４，１３６を得るために、１つ以上のレンダリング・パラメータ１３２に基づいて、（例えば、デコーダ１２０によって）符号化表現１１０に基づいて得られる複数の復号化オーディオ信号１２２をレンダリングするために構成されるレンダラ１３０を含む。さらに、マルチチャネル・オーディオ・デコーダ１００は、レンダリングされたオーディオ信号１３４，１３６から１つ以上の非相関化オーディオ信号１４２，１４４を導出するように構成される非相関器１４０を含む。さらに、マルチチャネル・オーディオ・デコーダ１００は、出力オーディオ信号１１２，１１４を得るために、レンダリングされたオーディオ信号１３４，１３６またはそのスケール化バージョンと１つ以上の非相関化オーディオ信号１４２，１４４とを結合するように構成されるコンバイナ１５０を含む。
【００５８】
しかしながら、上記の機能が与えられる限り、マルチチャネル・オーディオ・デコーダ１００の異なるハードウェア構成が可能である点に留意されたい。
【００５９】
マルチチャネル・オーディオ・デコーダ１００の機能に関して、非相関化オーディオ信号１４２，１４４は、レンダリングされたオーディオ信号１３４，１３６から導出され、非相関化オーディオ信号１４２，１４４は、出力オーディオ信号１１２，１１４を得るために、レンダリングされたオーディオ信号１３４，１３６と結合される点に留意されたい。レンダリングされたオーディオ信号１３４，１３６から非相関化オーディオ信号１４２，１４４を導出することによって、レンダリングされたオーディオ信号１３４，１３６の数は、典型的には、レンダラ１３０に入力される復号化オーディオ信号１２２の数から独立しているので、特に効果的な処理が達成されうる。このように、典型的には、非相関化の効果は、実施効率を改善する復号化オーディオ信号１２２の数から独立している。さらに、レンダリングの後の非相関化を適用することは、非相関化がレンダリングの前に適用される場合において、複数の非相関化信号を結合する場合に、レンダラによって引き起こされるアーティファクトの導入を回避する。さらに、レンダリングされたオーディオ信号の特性は、典型的には、良好な品質の出力オーディオ信号を結果として得る非相関器１４０によって実行される非相関化において考慮されうる。
【００６０】
さらに、マルチチャネル・オーディオ・デコーダ１００が、本願明細書において記載されている特徴および機能によって補充されうる点に留意されたい。特に、本願明細書において記載されるような個々の改良は、それによる処理の効率化および／または出力オーディオ信号の品質の改良のために、マルチチャネル・オーディオ・デコーダ１００に導入されうる点に留意されたい。
【００６１】
２．図２によるマルチチャネル・オーディオ・エンコーダ
図２は、本発明の実施の形態によるマルチチャネル・オーディオ・エンコーダ２００のブロック概略図を示す。マルチチャネル・オーディオ・エンコーダ２００は、２つ以上の入力オーディオ信号２１０，２１２を受信し、それに基づいて符号化表現２１４を供給するように構成される。マルチチャネル・オーディオ・エンコーダは、少なくとも２つ以上の入力オーディオ信号２１０，２１２に基づいて、１つ以上のダウンミックス信号２２２を供給するように構成されるダウンミックス信号プロバイダ２２０を含む。さらに、マルチチャネル・オーディオ・エンコーダ２００は、少なくとも２つの入力オーディオ信号２１０，２１４の間の関係（例えば、相互相関、相互共分散、レベル差等）を記述している１つ以上のパラメータ２３２を供給するように構成されるパラメータ・プロバイダ２３０を含む。
【００６２】
さらに、マルチチャネル・オーディオ・エンコーダ２００は、オーディオ・デコーダのサイドにおいて使用されるべき複数の非相関化モードのうちの非相関化モードを記述している非相関化方法パラメータ２４２を供給するように構成される非相関化方法パラメータ・プロバイダ２４０も含む。１つ以上のダウンミックス信号２２２、１つ以上のパラメータ２３２および非相関化方法パラメータ２４２は、例えば、符号化表現２１４に、符号化の形式で含まれる。
【００６３】
しかしながら、上記のような機能が満足される限り、マルチチャネル・オーディオ・エンコーダ２００のハードウェア構成は異なりうることに留意されたい。換言すれば、個々のブロック（例えば、ダウンミックス信号プロバイダ２２０に、パラメータ・プロバイダ２３０に、そして非相関化方法パラメータ・プロバイダ２４０に）マルチチャネル・オーディオ・エンコーダ２００の機能の配分は、例として、考慮されるべきである。
【００６４】
マルチチャネル・オーディオ・エンコーダ２００の機能に関して、１つ以上のダウンミックス信号２２２および１つ以上のパラメータ２３２が、例えば、ＳＡＯＣマルチチャネル・オーディオ・エンコーダまたはＵＳＡＣマルチチャネル・オーディオ・エンコーダにおけるような従来の方法において供給される点に留意されたい。しかしながら、マルチチャネル・オーディオ・エンコーダ２００によっても供給され、そして、符号化表現２１４に含まれる非相関化方法パラメータ２４２は、入力オーディオ信号２１０，２１２にまたは所望の再生品質に非相関化モードを適用するために使用されうる。従って、非相関化モードは、オーディオ・コンテンツの異なるタイプに適用されうる。例えば、異なる非相関化モードは、入力オーディオ信号２１０，２１２が強く相関しているオーディオ・コンテンツのタイプに対して、および入力オーディオ信号２１０，２１２が独立しているオーディオ・コンテンツのタイプに対して、選択される。さらに、異なる非相関化モードは、空間印象が特に重要であるオーディオ・コンテンツのタイプに対して、および空間印象がより重要でないかまたは下位の重要性（例えば、個々のチャネルの再生と比較した場合）におけるオーディオ・コンテンツのタイプに対して、非相関化モードパラメータ２４２によって信号を送信されうる。従って、符号化表現２１４を受信するマルチチャネル・オーディオ・デコーダは、マルチチャネル・オーディオ・エンコーダ２００によって制御され、復号化の複雑さと再生品質の間の最良の可能な妥協をもたらす復号化モードを設定されうる。
【００６５】
さらに、マルチチャネル・オーディオ・エンコーダ２００は、本願明細書において記載されている特徴および機能のいずれかによって補充されうる点に留意されたい。本願明細書において記載されている可能な付加的な特徴および改良は、それによって、マルチチャネル・オーディオ・エンコーダ２００を改良するように（または強化するように）、個々にまたは組み合わせて、マルチチャネル・オーディオ・エンコーダ２００に追加されうる点に留意されたい。
【００６６】
３．図３による少なくとも２つの出力オーディオ信号を供給するための方法
図３は、符号化表現に基づいて少なくとも２つの出力オーディオ信号を供給するための方法３００のフローチャートを示す。方法は、複数のレンダリングされたオーディオ信号を得るために、１つ以上のレンダリング・パラメータに基づく符号化表現３１２に基づいて得られた複数の復号化オーディオをレンダリングするステップ３１０を含む。方法３００は、また、レンダリングされたオーディオ信号から１つ以上の非相関化オーディオ信号を導出するステップ３２０を含む。方法３００は、また、出力オーディオ信号３３２を得るために、レンダリングされたオーディオ信号またはそのスケール化バージョンと１つ以上の非相関化オーディオ信号とを結合するステップ３３０を含む。
【００６７】
方法３００は、図１によるマルチチャネル・オーディオ・デコーダ１００と同じ考察に基づく点に留意されたい。さらに、方法３００は、（個々に、または組み合わせて）本願明細書において記載される特徴および機能のいずれかによって補充されうる点に留意されたい。例えば、方法３００は、本願明細書において記載されるマルチチャネル・オーディオ・デコーダに関する特徴および機能のいずれかによって補充されうる点に留意されたい。
【００６８】
４．図４による符号化表現を提供するための方法
図４は、少なくとも２つの入力オーディオ信号に基づく符号化表現を供給するための方法４００のフローチャートを示す。方法４００は、少なくとも２つの入力オーディオ信号に基づく１つ以上のダウンミックス信号を供給するステップ４１０を含む。さらに、方法４００は、少なくとも２つの入力オーディオ信号４１２の間の関係を記述している１つ以上のパラメータを供給するステップ４２０と、オーディオ・デコーダのサイドで使用される複数の非相関化モードのうちの非相関化モードを記述している非相関化方法パラメータを供給するステップ４３０とを含む。従って、好ましくは、１つ以上のダウンミックス信号の符号化表現、少なくとも２つの入力オーディオ信号の間の関係を記述している１つ以上のパラメータ、および非相関化方法パラメータを含む符号化表現４３２が供給される。
【００６９】
上記の説明も適用されるように、方法４００は、マルチチャネル・オーディオ・エンコーダ２００と同じ考察に基づく点に留意されたい。
【００７０】
さらに、ステップ４１０，４２０，４３０の命令は、柔軟に変化することができ、これが、方法４００のための実行環境において可能な限り、ステップ４１０，４２０，４３０も、並行して実行可能である点に留意されたい。さらに、方法４００は、個々に、または組み合わせて、本願明細書において記載される特徴および機能のいずれかによって補充されうる点に留意されたい。例えば、方法４００は、マルチチャネル・オーディオ・エンコーダに関して本願明細書において記載される特徴および機能のいずれかによって補充されうる。しかしながら、符号化表現４３２を受信する本願明細書に記載されるマルチチャネル・オーディオ・デコーダの特徴および機能に対応する特徴および機能を含むことも可能である。
【００７１】
５．図５による符号化オーディオ表現
図５は、本発明の実施の形態による符号化オーディオ表現５００の概略図を示す。
【００７２】
符号化オーディオ表現５００は、ダウンミックス信号の符号化表現５１０、少なくとも２つのオーディオ信号の間の関係を記述している１つ以上のパラメータの符号化表現５２０を含む。さらに、符号化オーディオ表現５００は、オーディオ・デコーダのサイドで使用される複数の非相関化モードのうちの非相関化モードを記述している符号化非相関化方法パラメータ５３０も含む。従って、符号化オーディオ表現は、オーディオ・エンコーダからオーディオ・デコーダに非相関化モードの信号を送信することを許容する。従って、符号化オーディオ表現は、（例えば、１つ以上のダウンミックス信号の符号化表現５１０によって、および少なくとも２つのオーディオ信号（例えば、１つ以上のダウンミックス信号の符号化表現５１０にダウンミックスされている少なくとも２つのオーディオ信号））の間の関係を記述している１つ以上のパラメータの符号化表現５２０によって記述されるオーディオ・コンテンツの特性によく適応される非相関化モードを得ることが可能である。このように、符号化オーディオ表現５００は、特に良好な聴覚器官の空間印象および／または特に、聴覚器官の空間印象と復号化の複雑さとの間の良好なトレードオフを伴う符号化オーディオ表現５００によって表わされるオーディオ・コンテンツのレンダリングを許容する。
【００７３】
さらに、符号化表現５００が、個々に、または組み合わせて、マルチチャネル・オーディオ・エンコーダおよびマルチチャネル・オーディオ・デコーダに関して記載されている特徴および機能のいずれかによって補充されうる点に留意されたい。
【００７４】
６．図６によるマルチチャネル非相関器
図６は、本発明の実施の形態によるマルチチャネル非相関器６００のブロック概略図を示す。
【００７５】
マルチチャネル非相関器６００は、Ｎ個の非相関器入力信号６１０ａ〜６１０ｎの第１のセットを受信し、それに基づいて、Ｎ’個の非相関器出力信号６１２ａ〜６１２ｎ’の第２のセットを供給するように構成される。換言すると、マルチチャネル非相関器６００は、非相関器入力信号６１０ａ〜６１０ｎに基づいて複数の（少なくともおよそ）非相関化信号６１２ａ〜６１２ｎ’を提供するように構成される。
【００７６】
マルチチャネル非相関器６００は、Ｎ個の非相関器入力信号６１０ａ〜６１０ｎの第１のセットをＫ個の非相関器入力信号６２２ａ〜６２２ｋの第２のセットにプレミックスするように構成される、プレミキサ６２０を含み、Ｋは、Ｎよりも小さい（ＫおよびＮは整数である）。マルチチャネル非相関器６００は、Ｋ個の非相関器入力信号６２２ａ〜６２２ｋの第２のセットに基づいてＫ’個の非相関器出力信号６３２ａ〜６３２ｋ’の第１のセットを供給するように構成される非相関化（または非相関器の主要部）６３０も含む。さらに、マルチチャネル非相関器は、Ｋ’個の非相関器出力信号６３２ａ〜６３２ｋ’の第１のセットをＮ’個の非相関器出力信号６１２ａ〜６１２ｎ’の第２のセットにアップミックスするように構成されるポスト・ミキサ６４０を含み、Ｎ’はＫ’より大きい（Ｎ’およびＫ’は整数である）。
【００７７】
しかしながら、マルチチャネル非相関器６００の所与の構成は、例として考慮されるべきであり、本願明細書において記載されている機能が提供される限り、マルチチャネル非相関器６００を機能的なブロック（例えば、プレミキサ６２０、非相関化もしくは非相関器の主要部６３０、およびポスト・ミキサ６４０）にさらに分割することは必要ない点に留意されたい。
【００７８】
マルチチャネル非相関器６００の機能に関して、現実の非相関化が、例えば、直接、Ｎ個の非相関器入力信号が適用されるコンセプトを比較したとき、Ｎ個の非相関器入力信号の第１のセットからＫ個の非相関器入力信号の第２のセットを導出するようにプレミックスを実行し、そして、（プレミックスされまたは「ダウンミックされた」）Ｋ個の非相関器入力信号の第２のセットに基づいて非相関化を実行するコンセプトは、複雑さの低減をもたらすことに留意されたい。さらに、Ｎ’個の非相関器出力信号の第２の（アップミックスされた）セットは、アップミキサ６４０によって実行されうるポストミキシングに基づいて、現実の非相関化の結果である非相関器出力信号の第１の（元の）セットに基づいて得られる。このように、マルチチャネル非相関器６００は、（外側からみられたとき）効果的にＮ個の非相関器入力信号を受信し、そして、それに基づいて、Ｎ’個の非相関器出力信号を供給する。その一方で、現実の非相関器の主要部６３０は、より少ない数の信号（すなわち、Ｋ個の非相関器入力信号の第２のセットのＫ個のダウンミックスされた非相関器入力信号６２２ａ〜６２２ｋ）のみを処理するだけである。このように、マルチチャネル非相関器６００の複雑さは、従来の非相関器と比較したとき、非相関化（または非相関器の主要部）６３０の入力サイドでの（好ましくは、いかなる非相関化の機能のない線形のプレミキシングである）ダウンミックまたは「プレミキシング」を実行することによって、そして、非相関化（または非相関器の主要部）６３０の（元の）出力信号６３２ａ〜６３２ｋ’に基づいて、（例えば、いかなる追加の非相関化の機能のない線形のアップミキシングである）アップミキシングまたは「ポストミキシング」を実行することによって、実質的に低減されうる。
【００７９】
さらに、マルチチャネル非相関器６００は、マルチチャネル非相関化に関して、またマルチチャネル・オーディオ・デコーダにも関して、本願明細書において記載される特徴および機能のいずれかによって補充されうる点に留意されたい。本願明細書において記載される特徴は、それによって、マルチチャネル非相関器６００を改良するかまたは強化するように、個々に、または、組み合わせて、マルチチャネル非相関器６００に追加されうる点に留意されたい。
【００８０】
複雑さの低減のないマルチチャネル非相関器は、Ｋ＝Ｎ（そして、おそらくＫ’＝Ｎ’またはＫ＝Ｎ＝Ｋ’＝Ｎ’でさえ）、に対して上記したマルチチャネル非相関器から導出されうる点に留意されたい。
【００８１】
７．図７によるマルチチャネル・オーディオ・デコーダ
図７は本発明の実施の形態によるマルチチャネル・オーディオ・デコーダ７００のブロック概略図を示す。
【００８２】
マルチチャネル・オーディオ・デコーダ７００は、符号化表現７１０を受信し、それに基づいて、少なくとも２つの出力信号７１２，７１４を供給するように構成される。マルチチャネル・オーディオ・デコーダ７００は、図６によるマルチチャネル非相関器６００と実質的に同一であるマルチチャネル非相関器７２０を含む。さらに、マルチチャネル・オーディオ・デコーダ７００は、従来技術において当業者により知られている、または他のマルチチャネル・オーディオ・デコーダに関して本願明細書に記載されるようなマルチチャネル・オーディオ・デコーダの特徴または機能のいずれかを含みうる。
【００８３】
さらに、マルチチャネル・オーディオ・デコーダ７００が、高効率のマルチチャネル非相関器７２０を使用するので、マルチチャネル・オーディオ・デコーダ７００は、従来のマルチチャネル・オーディオ・デコーダと比較した場合、特に高い効率を含む。
【００８４】
８．図８によるマルチチャネル・オーディオ・エンコーダ
図８は、本発明の実施の形態によるマルチチャネル・オーディオ・エンコーダ８００のブロック概略図を示す。マルチチャネル・オーディオ・エンコーダ８００は、少なくとも２つの入力オーディオ信号８１０，８１２を受信し、それに基づいて、入力オーディオ信号８１０，８１２によって表わされるオーディオ・コンテンツの符号化表現８１４を供給するように構成される。
【００８５】
マルチチャネル・オーディオ・エンコーダ８００は、少なくとも２つの入力オーディオ信号８１０，８１２に基づいて１つ以上のダウンミックス信号８２２を供給するように構成されるダウンミックス信号プロバイダ８２０を含む。マルチチャネル・オーディオ・エンコーダ８００は、入力オーディオ信号８１０、８１２に基づいて、１つ以上のパラメータ８３２（例えば、相互相関パラメータもしくは相互共分散パラメータ、または内部オブジェクト相関パラメータおよび／もしくはオブジェクト・レベル差パラメータ）を供給するように構成されるパラメータ・プロバイダ８３０も含む。さらに、マルチチャネル・オーディオ・エンコーダ８００は、（符号化表現８１４を受信する）オーディオ・デコーダのサイドで使用される非相関化の複雑さを記述している非相関化複雑さパラメータ８４２を供給するように構成される非相関化複雑さパラメータ・プロバイダ８４０を含む。１つ以上のダウンミックス信号８２２、１つ以上のパラメータ８３２、および非相関化複雑さパラメータ８４２が、好ましくは符号化形式において符号化表現８１４に含まれる。
【００８６】
しかしながら、マルチチャネル・オーディオ・エンコーダ８００（例えば、ダウンミックス信号プロバイダ８２０、パラメータ・プロバイダ８３０および非相関化複雑さパラメータ・プロバイダ８４０の存在）の内部構造は、単なる例示として考慮されるべきである。異なる構成は、本願明細書に記載されている機能が達成する限り、可能である。
【００８７】
マルチチャネル・オーディオ・エンコーダ８００の機能に関して、マルチチャネル・エンコーダは、符号化表現８１４を供給する点に留意されたい。ここで、１つ以上のダウンミックス信号８２２および１つ以上のパラメータ８３２は、（例えば、従来のＳＡＯＣオーディオ・エンコーダまたはＵＳＡＣオーディオ・エンコーダのような）従来のオーディオ・エンコーダによって供給されるダウンミックス信号およびパラメータに近似するか、または等しい。しかしながら、マルチチャネル・オーディオ・エンコーダ８００は、オーディオ・デコーダのサイドにおいて適用される非相関化の複雑さを決定することを許容する、非相関化複雑さパラメータ８４２も供給するように構成される。従って、非相関化の複雑さは、現在符号化されるオーディオ・コンテンツに適応されうる。例えば、入力オーディオ信号の特性についてエンコーダ側の情報に基づいて、達成可能なオーディオ品質に対応する所望の非相関化の複雑さの信号を送信することが可能である。例えば、空間的な特性がオーディオ信号に対して重要であることが分かっている場合、空間的な特性が重要でないとき、非相関化複雑さパラメータ８４２を使用して、より高い非相関化の複雑さの信号の送信がされうる。あるいは、高い複雑さの非相関化が、他の理由のためのオーディオ・デコーダのサイドで必要とされるような、オーディオ・コンテンツ、または全てのオーディオ・コンテンツの通過であることが分かっている場合、高い非相関化の複雑さの使用は、非相関化複雑さパラメータ８４２を使用して、信号の送信がされうる。
【００８８】
要約すると、マルチチャネル・オーディオ・エンコーダ８００は、信号特性、またはマルチチャネル・オーディオ・エンコーダ８００によって設定されうる所望の再生特性に適用される非相関化の複雑さを使用するために、マルチチャネル・オーディオ・デコーダを制御する可能性を提供する。
【００８９】
さらに、マルチチャネル・オーディオ・エンコーダ８００が、個々に、または、組み合わせて、マルチチャネル・オーディオ・エンコーダに関して、本願明細書に記述される特徴および機能のいずれかによって補充されうる点に留意されたい。例えば、マルチチャネル・オーディオ・エンコーダに関して、本願明細書に記載される特徴のいくつかまたは全ては、マルチチャネル・オーディオ・エンコーダ８００に追加されうる。さらに、マルチチャネル・オーディオ・エンコーダ８００は、本願明細書において記載されるマルチチャネル・オーディオ・デコーダとの協力に対して適応されうる。
【００９０】
９．図９による複数の非相関器入力信号に基づいて複数の非相関化信号を供給するための方法
図９は、複数の非相関器入力信号に基づいて、複数の非相関信号を供給するような方法９００のフローチャートを示す。
【００９１】
方法９００は、Ｎ個の非相関器入力信号の第１のセットをＫ個の非相関器入力信号の第２のセットにプレミックスするステップ９１０を含み、Ｋは、Ｎよりも小さい。方法９００は、Ｋ個の非相関器入力信号の第２のセットに基づいて、Ｋ’個の非相関器出力信号の第１のセットを供給するステップ９２０も含む。例えば、Ｋ’個の非相関器出力信号の第１のセットは、非相関化を使用してＫ個の非相関器入力信号の第２のセットに基づいて供給され、そして、それは、例えば、非相関器の主要部を使用するか、または非相関化アルゴリズムを使用して実行されうる。更に、方法９００は、Ｋ’個の非相関器出力信号の第１のセットをＮ’個の非相関器出力信号の第２のセットにポストミックスするステップ９３０を含み、Ｎ’はＫ’よりも大きい（Ｎ’およびＫ’は整数である）。従って、方法９００の出力であるＮ’個の非相関器出力信号の第２のセットは、方法９００に入力されるＮ個の非相関器入力の第１のセットに基づいて供給されうる。
【００９２】
方法９００が、上記のマルチチャネル非相関器と同じ考察に基づく点に留意されたい。さらに、方法９００は、個々に、または、組み合わせて、マルチチャネル非相関器に関して（そして、適用できる場合、マルチチャネル・オーディオ・エンコーダに関して）、本願明細書において記載されている特徴および機能のいずれかによって補充されうる点に留意されたい。
【００９３】
１０．図１０による符号化表現に基づいて少なくとも２つの出力オーディオ信号を供給する方法
図１０は、符号化表現に基づいて少なくとも２つの出力オーディオ信号を供給するための方法１０００のフローチャートを示す。
【００９４】
方法１０００は、符号化表現１０１２に基づいて少なくとも２つの出力オーディオ信号１０１４，１０１６を供給するステップ１０１０を含む。方法１０００は、図９による方法９００に従って、複数の非相関器入力信号に基づいて複数の非相関化信号を供給するステップ１０２０を含む。
【００９５】
方法１０００は、図７によるマルチチャネル・オーディオ・デコーダ７００と同じ考察に基づく点に留意されたい。
【００９６】
また、方法１０００は、個々に、または、組み合わせて、マルチチャネル・デコーダに関して、本願明細書において記載されている特徴および機能のいずれかによって補充されうる点に留意されたい。
【００９７】
１１．図１１による少なくとも２つの入力オーディオ信号に基づいて符号化表現を供給する方法
図１１は、少なくとも２つの入力オーディオ信号に基づいて符号化表現を供給する方法１１００のフローチャートを示す。
【００９８】
方法１０００は、少なくとも２つの入力オーディオ信号１１１２，１１１４に基づいて１つ以上のダウンミックス信号を供給するステップ１１１０を含む。方法１１００は、少なくとも２つの入力オーディオ信号１１１２，１１１４の間の関係を記述している１つ以上のパラメータを供給するステップ１１２０も含む。さらに、方法１１００は、オーディオ・デコーダのサイドで使用される非相関化の複雑さを記述している非相関化複雑さパラメータを供給するステップ１１３０を含む。従って、符号化表現１１３２は、少なくとも２つの入力オーディオ信号１１１２，１１１４に基づいて供給される。ここで、符号化表現は、典型的には、符号化形式において、１つ以上のダウンミックス信号、少なくとも２つの入力オーディオ信号の間の関係を記述している１つ以上のパラメータ、および非相関化複雑さパラメータを含む。
【００９９】
ステップ１１１０，１１２０，１１３０は、並行して、または本発明によるいくつかの実施の形態における異なる命令において実行されうる点に留意されたい。さらに、方法１１００は、図８によるマルチチャネル・オーディオ・エンコーダ８００として同じ考察に基づき、そして、方法１１００は、個々に、または、組み合わせて、マルチチャネル・オーディオ・エンコーダに関して、本願明細書において記載されている特徴および機能のいずれかによって補充されうる点に留意されたい。さらに、方法１１００は、マルチチャネル・オーディオ・デコーダおよび本願明細書において記載されている少なくとも２つの出力オーディオ信号を供給するための方法をマッチするように適応されうる点に留意されたい。
【０１００】
１２．図１２による符号化オーディオ表現
図１２は、本発明の実施の形態による符号化オーディオ表現の概略図を示す。符号化オーディオ表現１２００は、ダウンミックス信号の符号化表現１２１０、少なくとも２つの入力オーディオ信号の間の関係を記述している１つ以上のパラメータの符号化表現１２２０、およびオーディオ・デコーダのサイドにおいて使用される非相関化の複雑さを記述している符号化非相関化複雑さパラメータ１２３０を含む。従って、符号化オーディオ表現１２００は、改良された復号化効率、および改良されたオーディオ品質または符号化効率とオーディオ品質とのトレードオフの改良の可能性をもたらすマルチチャネル・オーディオ・デコーダによって使用される非相関化の複雑さを調整することを許容する。さらに、符号化オーディオ表現１２００は、本願明細書において記載されるようにマルチチャネル・オーディオ・エンコーダによって供給されえ、そして、本願明細書において記載されるようにマルチチャネル・オーディオ・エンコーダによって使用されうる点に留意されたい。従って、符号化オーディオ表現１２００は、マルチチャネル・オーディオ・エンコーダに関しておよびマルチチャネル・オーディオ・デコーダに関して記載される特徴のいずれかによって補充されうる。
【０１０１】
１３．表記法および基本的な検討事項
近年では、複数のオーディオ・オブジェクトを含んでいるオーディオ・シーンのビットレートの効果的な伝送／格納のためのパラメータの技術は、オーディオ符号化の分野（例えば、参考文献［ＢＣＣ］［ＪＳＣ］［ＳＡＯＣ］［ＳＡＯＣ１］［ＳＡＯＣ２］を参照）およびインフォームド（ｉｎｆｏｒｍｅｄ）音源分離の分野（例えば、参考文献［ＩＳＳ１］［ＩＳＳ２］［ＩＳＳ３］［ＩＳＳ４］［ＩＳＳ５］［ＩＳＳ６］を参照）において提案されている。これらの技術は、伝送され／格納されたオーディオ・シーンおよび／またはオーディオ・シーンにおける音源オブジェクトを記述している追加のサイド情報に基づいて、所望の出力オーディオ・シーンまたはオーディオ音源オブジェクトを再構成することを意図する。この再構成は、パラメータのインフォームド音源分離方式を使用してデコーダにおいて生じる。さらに、参照は、例えば、国際標準ＩＳＯ／ＩＥＣ  ２３００３−１：２００７において記載されるいわゆる「ＭＰＥＧ  Ｓｕｒｒｏｕｎｄ（ＭＰＥＧサラウンド）」のコンセプトにもなされる。さらに、参照は、国際標準ＩＳＯ／ＩＥＣ  ２３００３−２：２０１０において記載されるいわゆる「Ｓｐａｔｉａｌ  Ａｕｄｉｏ  Ｏｂｊｅｃｔ  Ｃｏｄｉｎｇ（空間オーディオ・オブジェクト符号化）」にもなされる。さらに、参照は、国際規格ＩＳＯ／ＩＥＣ  ２３００３−３：２０１２において記載されるいわゆる「Ｕｎｉｆｉｅｄ  Ｓｐｅｅｃｈ  ａｎｄ  Ａｕｄｉｏ  Ｃｏｄｉｎｇ（音声音響統合符号化方式）」にもなされる。これらの標準からのコンセプトは、例えば、本願明細書において記載されるマルチチャネル・オーディオ・エンコーダおよび本願明細書において記載されるマルチチャネル・オーディオ・デコーダにおいて、本発明による実施の形態において使用される。ここで、いくつかの適応は必要とされうる。
【０１０２】
以下に、いくつかの背景情報が、記載される。特に、パラメータの分離方式における概要は、ＭＰＥＧ空間オーディオ・オブジェクト符号化（Ｓｐａｔｉａｌ  Ａｕｄｉｏ  Ｏｂｊｅｃｔ  Ｃｏｄｉｎｇ：ＳＡＯＣ）技術（例えば、参考文献［ＳＡＯＣ］を参照）の実施例を使用して、提供される。この方法の数学的プロパティは、考慮される。
【０１０３】
2020120389.tif 000003
2020120389.tif 000004
【０１０４】
一般的な損失なしに、方程式の可読性を改良するために、すべての導入される変数に対して、時間および周波数依存を表示しているインデックスは、この明細書において省略される。
【０１０５】
１３．２  パラメータ分離システム
一般的なパラメータ分離システムは、（例えば、内部チャネル相関値、内部チャネルレベル差値、内部オブジェクト相関値および／またはオブジェクト・レベル差情報のような）補助的なパラメータ情報を使用して信号混合（ダウンミックス）からオーディオ音源の数を推定することを意図する。この作業の典型的な解決は、最小２乗平均誤差（Ｍｉｎｉｍｕｍ  Ｍｅａｎ  Ｓｑｕａｒｅｄ  Ｅｒｒｏｒ：ＭＭＳＥ）推定アルゴリズムのアプリケーションに基づく。ＳＡＯＣ技術は、パラメトリックオーディオ符号化／復号化システムのような１つの実施例である。
【０１０６】
図１３は、ＳＡＯＣエンコーダ／デコーダ構造の一般的な原理を示す。換言すれば、図１３は、パラメトリックダウンミックス／アップミックスのコンセプトに基づくＭＭＳＥの概観を、ブロック概略図の形式で示す。
【０１０７】
エンコーダ１３１０は、複数のオブジェクト信号１３１２ａ，１３１２ｂ〜１３１２ｎを受信する。さらに、エンコーダ１３１０は、例えば、ダウンミックス・パラメータであるミキシング・パラメータＤ，１３１４も受信する。エンコーダ１３１０は、それに基づいて、１つ以上のダウンミックス信号１３１６ａ，１３１６ｂ等を供給する。さらに、エンコーダは、サイド情報１３１８を供給する。１つ以上のダウンミックス信号およびサイド情報は、例えば、符号化形式で供給されうる。
【０１０８】
エンコーダ１３１０は、典型的には、オブジェクト信号１３１２ａ〜１３１２ｎを受信し、ミキシング・パラメータ１３１４に基づいて、オブジェクト信号１３１２ａ〜１３１２ｎを結合して（例えば、ダウンミックスして）１つ以上のダウンミックス信号１３１６ａ，１３１６ｂを作成するように構成されるミキサ１３２０を含む。さらに、エンコーダは、オブジェクト信号１３１２ａ〜１３１２ｎからサイド情報１３１８を導出するように構成されるサイド情報推定器１３３０を含む。例えば、サイド情報推定器１３３０は、サイド情報が、例えば、（「内部オブジェクト相関」（ＩＯＣ：ｉｎｔｅｒ−ｏｂｊｅｃｔ−ｃｏｒｒｅｌａｔｉｏｎ））として指定されうる）オブジェクト信号の間の相互相関および／または（「オブジェクト・レベル差情報」（ＯＬＤ：ｏｂｊｅｃｔ  ｌｅｖｅｌ  ｉｎｆｏｒｍａｔｉｏｎ）として指定されうる）オブジェクト信号の間のレベル差を記述している情報である、オブジェクト信号の間の関係を記述するようなサイド情報１３１８を導出するように構成されうる。
【０１０９】
１つ以上のダウンミック信号１３１６ａ，１３１６ｂおよびサイド情報１３１８は、参照番号１３４０に示されるように、デコーダ１３５０に格納されおよび／または送信されうる。
【０１１０】
デコーダ１３５０は、（例えば、符号化形式で）１つ以上のダウンミックス信号１３１６ａ，１３１６ｂおよびサイド情報１３１８を受信し、そして、それに基づいて、複数の出力オーディオ信号１３５２ａ〜１３５２ｎを供給する。デコーダ１３５０は、（レンダリング行列を定義しうる）１つ以上のレンダリング・パラメータＲを含みうるユーザ相互作用情報１３５４も受信する。デコーダ１３５０は、パラメトリック・オブジェクト・セパレータ１３６０、サイド情報プロセッサ１３７０およびレンダラ１３８０を含む。サイド情報プロセッサ１３７０は、サイド情報１３１８を受信し、それに基づいて、パラメトリック・オブジェクト・セパレータ１３６０に対して制御情報１３７２を供給する。パラメトリック・オブジェクト・セパレータ１３６０は、ダウンミックス信号１３６０ａ，１３６０ｂおよびサイド情報プロセッサ１３７０によってサイド情報１３１８から導出された制御情報１３７２に基づいて、複数のオブジェクト信号１３６２ａ〜１３６２ｎを供給する。例えば、オブジェクト・セパレータは、符号化ダウンミックス信号およびオブジェクト分離の復号化を実行しうる。レンダラ１３８０は、それによって出力オーディオ信号１３５２ａ〜１３５２ｎを得るために、再構成オブジェクト信号１３６２ａ〜１３６２ｎをレンダリングする。
【０１１１】
以下に、パラメータ・ダウンミックス／アップミックスのコンセプトに基づくＭＭＳＥの機能が述べられる。
【０１１２】
一般的なパラメトリックダウンミックス／アップミックス処理は、時間／周波数の選択的な方法で実行され、以下のステップのシーケンスとして記載されうる。
【０１１３】
・「エンコーダ」１３１０は、入力された「オーディオ・オブジェクト」Ｘおよび「ミキシング・パラメータ」Ｄを有する。「ミキサ」１３２０は、「ミキシング・パラメータ」Ｄ（例えば、ダウンミックスゲイン）を使用して「オーディオ・オブジェクト」Ｘをいくつかの「ダウンミックス信号」Ｙにダウンミックスする。「サイド情報推定器」は、入力された「オーディオ・オブジェクト」Ｘ（例えば、共分散特性）の特性を記述しているサイド情報１３１８を抽出する。
【０１１４】
・「ダウンミックス信号」Ｙおよびサイド情報は、送信されるか、または格納される。これらのダウンミックスオーディオ信号は、さらに、オーディオコーダ（例えば、ＭＰＥＧ−１／２  Ｌａｙｅｒ  ＩＩまたはＩＩＩ，ＭＰＥＧ−２／４  Ａｄｖａｎｃｅｄ  Ａｕｄｉｏ  Ｃｏｄｉｎｇ（ＡＡＣ），ＭＰＥＧ  Ｕｎｉｆｉｅｄ  Ｓｐｅｅｃｈ  ａｎｄ  Ａｕｄｉｏ  Ｃｏｄｉｎｇ（ＵＳＡＣ）等）を使用して圧縮されうる。サイド情報は、（例えば、オブジェクトパワーおよびオブジェクト相関係数の無損失性符号化関係として）効果的に再構成され、符号化されうる。
【０１１５】
2020120389.tif 000005
【０１１６】
さらに、エンコーダ１３１０およびデコーダ１３５０に関して記載されている機能は、同様に本願明細書において記載されている他のオーディオ・エンコーダおよびオーディオ・デコーダにおいて使用されうる点に留意されたい。
【０１１７】
2020120389.tif 000006
【０１１８】
2020120389.tif 000007
【０１１９】
幾何学的に、図１４に示される例によって、これを視覚化しうる。
【０１２０】
2020120389.tif 000008
【０１２１】
2020120389.tif 000009
【０１２２】
2020120389.tif 000010
【０１２３】
2020120389.tif 000011
【０１２４】
2020120389.tif 000012
【０１２５】
我々に、２つのオーディオ信号を使用して音源を再生する実施例を考慮させる。ＩＯＣ値が１に近い場合、音は、極めて局所化された点の音源として知覚される。ＩＯＣ値がゼロに近い場合、音源の知覚された幅は増加し、そして、極端な例では、２つの異なった音源としてとして知覚されることさえある［Ｂｌａｕｅｒｔ，第３章］。
【０１２６】
１３．６  再構成誤りの補償
不完全なパラメトリック再構成の場合、出力信号は、元のオブジェクトと比較して低いエネルギーを示しうる。共分散行列の対角要素の誤差は、（理想的な参照出力と比較して）聞き取れるレベル差、および歪められた空間音像における非対角要素での誤差を結果として得る。提案された方法は、この課題を解決するための目的を有する。
【０１２７】
ＭＰＥＧ  Ｓｕｒｒｏｕｎｄ（ＭＰＳ）において、例えば、この問題は、いくつかの特定のチャネル・ベースの処理シナリオ、すなわち、モノラル／ステレオダウンミックスおよび限られた静的な出力構造（例えば、モノラル，ステレオ，５．１，７．１等）のためだけに扱われる。ＳＡＯＣのようにモノラル／ステレオダウンミックスも使用するオブジェクト指向技術において、この課題は、５．１の出力構造だけのためのＭＰＳ後処理レンダリングを適用することによって扱われる。
【０１２８】
既存の解決策は、標準の出力構成および入出力チャネルの定数に限られる。すなわち、それらは、ちょうど「モノラル対ステレオ」（または「ステレオ対３チャネル」）のチャネル非相関の方法を実装しているいくつかのブロックの結果として生じるアプリケーションとして理解される。
【０１２９】
それゆえに、パラメトリック再構成誤りの補償のための一般的な解決策（例えば、エネルギーレベルおよび相関特性修正方法）が所望され、そして、それは柔軟な数のダウンミックス／出力チャネルおよび任意の出力構成セットアップに対して適用されうる。
【０１３０】
１３．７  結論
結論として、表記法に関する概要が提供された。さらに、パラメトリック分離システムは、本発明による実施の形態がベースであることが述べられた。さらに、最小２乗平均誤差推定に適用される直交原理が概説された。さらに、再構成誤差ＸErrorの存在において適用する共分散行列ＥXの算出のための方程式が提供された。また、例えば、本発明による実施の形態において、（パラメトリックサイド情報において含まれうる）内部オブジェクト相関値から所望の共分散特性（または相関特性）を導出し、そして、おそらくオブジェクト・レベル差を形成するために適用されうる、いわゆる内部オブジェクト相関値および共分散行列ＥXの要素との間の関係が提供された。さらに、再構成オブジェクト信号の特性が、不完全な再構成のため、所望の特性と異なることが概説された。さらに、課題を取り扱う既存の解決策が、いくつかの特定の出力構成に限られており、従来の解決策の変更できない標準ブロックの特定の結合に依拠することが概説された。
【０１３１】
１４．図１５による実施の形態
１４．１  コンセプトの概要
本発明による実施の形態は、任意の数のダウンミックス／アップミックスチャネルのための非相関化の解決策を有するパラメトリックオーディオ分離方式において使用されるＭＭＳＥパラメトリック再構成方法を拡張する。例えば、発明の装置および発明の方法のような本発明による実施の形態は、パラメトリック再構成の間のエネルギー損失を補償することができ、そして、推定されたオブジェクトの相関特性を復元しうる。
【０１３２】
図１５は、統合された非相関化経路を有するパラメトリックダウンミックス／アップミックスのコンセプトの概要を提供する。換言すれば、図１５は、ブロック概略図の形式において、レンダリングされた出力に適用される非相関化を伴うパラメトリック再構成システムを示す。
【０１３３】
図１５に記載のシステムは、図１３に記載のエンコーダ１３１０と実質的に同一であるエンコーダ１５１０を含む。エンコーダ１５１０は、複数のオブジェクト信号１５１２ａ〜１５１２ｎを受信し、そして、それに基づいて、１つ以上のダウンミックス信号１５１６ａ，１５１６ｂおよびサイド情報１５１８を供給する。ダウンミックス信号１５１６ａ，１５１６ｂは、ダウンミックス信号１３１６ａ，１３１６ｂと実質的に同一でありえ、そして、Ｙによって指定される。サイド情報１５１８は、サイド情報１３１８と実質的に同一でありうる。しかしながら、例えば、サイド情報は、非相関化モードパラメータ、または非相関化方法パラメータ、または非相関化複雑さパラメータを含む。さらに、エンコーダ１５１０は、ミキシング・パラメータ１５１４を受信しうる。
【０１３４】
パラメトリック再構成システムは、１つ以上のダウンミックス信号１５１６ａ，１５１６ｂおよびサイド情報１５１８の送信および／または格納も含む。ここで、送信および／または格納は、１５４０で指定され、１つ以上のダウンミックス信号１５１６ａ，１５１６ｂおよび（パラメトリックサイド情報を含みうる）サイド情報１５１８が、符号化されうる。
【０１３５】
さらに、図１５によるパラメトリック再構成システムは、送信されまたは格納された１つ以上の（あるいは符号化）ダウンミックス信号１５１６ａ，１５１６ｂおよび送信されまたは格納された（あるいは符号化）サイド情報１５１８を受信し、そして、それに基づいて、出力オーディオ信号１５５２ａ〜１５５２ｎを供給するように構成される、デコーダ１５５０を含む。（マルチチャネル・オーディオ・デコーダとして考慮されうる）デコーダ１５５０は、パラメトリック・オブジェクト・セパレータ１５６０およびサイド情報プロセッサ１５７０を含む。さらに、デコーダ１５５０は、レンダラ１５８０、非相関器１５９０およびミキサ１５９８を含む。
【０１３６】
2020120389.tif 000013
【０１３７】
非相関器１５９０は、レンダリングされたオーディオ信号１５８２ａ〜１５８２ｎを受信し、そして、それに基づいて、Ｗでも指定される非相関化オーディオ信号１５９２ａ〜１５９２ｎを供給するように構成される。ミキサ１５９８は、レンダリングされたオーディオ信号１５８２ａ〜１５８２ｎおよび非相関化オーディオ信号１５９２ａ〜１５９２ｎを受信し、そして、レンダリングされたオーディオ信号１５８２ａ〜１５８２ｎと非相関化オーディオ信号１５９２ａ〜１５９２ｎとを結合し、それによって、出力オーディオ信号１５５２ａ〜１５５２ｎを得る。ミキサ１５９８は、後述するように、符号化サイド情報１５１８からサイド情報プロセッサ１５７０によって導出される制御情報１５７４も使用しうる。
【０１３８】
１４．２  非相関器の関数
以下に、非相関器１５９０に関する若干の詳細が記載される。しかしながら、いくつか後述されるように、異なる非相関器のコンセプトが使用されうる点に留意されたい。
【０１３９】
2020120389.tif 000014
【０１４０】
2020120389.tif 000015
【０１４１】
非相関器の関数の実装のための正確な仕様は、この説明の範囲の外である。例えば、ＭＰＥＧ  Ｓｕｒｒｏｕｎｄ  Ｓｔａｎｄａｒｄにおいて特定された非相関器に基づく、いくつかの無限インパルス応答（ＩＩＲ）フィルタのバンクは、非相関化の目的のために利用されうる（［ＭＰＳ］）。
【０１４２】
2020120389.tif 000016
【０１４３】
2020120389.tif 000017
【０１４４】
非相関器出力Ｗは、入力として予測された信号を使用することによって、（予測誤差が予測信号に対して直交することを記憶している）ＭＭＳＥ推定器における予測誤りを補償するように使用されうる。
【０１４５】
それは、予測誤差がそれら自身の間において直交する一般的な場合ではない点に留意されたい。このように、結果として得られるミクスチャーの共分散行列（例えば、出力オーディオ信号１５５２ａ〜１５５２ｎ）が所望の出力の共分散行列に類似することになるように、本発明のコンセプト（例えば、方法）の目的１つは、「ドライ」（すなわち、非相関器入力）信号（例えば、レンダリングされたオーディオ信号１５８２ａ〜１５８２ｎ）および「ウェット」（すなわち、非相関器出力）信号（例えば、非相関化オーディオ信号１５９２ａ〜１５９２ｎ）のミクスチャーを作成することである。
【０１４６】
さらに、以下に詳細に記載され、そして、しかしながら、受け入れられる、非相関化信号のいくつかの欠点をもたらす、非相関化装置のための複雑さの低減が使用される点に留意されたい。
【０１４７】
１４．３  非相関化信号を使用している出力共分散修正
以下に、コンセプトが、合理的に良好な聴覚印象を得るように、出力オーディオ信号１５５２ａ〜１５５２ｎの共分散特性を調整することを記載している。
【０１４８】
2020120389.tif 000018
【０１４９】
2020120389.tif 000019
【０１５０】
2020120389.tif 000020
【０１５１】
2020120389.tif 000021
【０１５２】
理想的に作成されレンダリングされた出力シーンのターゲット共分散Ｃは、
Ｃ＝ＲＥXＲH
として、定義される。
【０１５３】
2020120389.tif 000022
【０１５４】
2020120389.tif 000023
【０１５５】
原型の行列Ｈは、直接的なおよび非相関信号パスのために所望の加重に従って選択されうる。
【０１５６】
2020120389.tif 000024
【０１５７】
以下に、一般の行列Ｆの構造のための若干の数学的な導出が提供される。
【０１５８】
換言すれば、一般的な解決法のための混合行列Ｆの導出は、以下において記載される。
【０１５９】
共分散行列ＥSおよびＣは、
ＥS＝ＶＱＶH，Ｃ＝ＵＴＵH
として、例えば、特異値分解（ＳＶＤ）を使用して表わされ、ＴおよびＱは、それぞれＣおよびＥSの特異値を有する対角行列であり、ＵおよびＶは、特異ベクトルに対応するユニタリ行列である。
【０１６０】
（ＳＶＤの代わりに）シューア三角化または固有値分解のアプリケーションが、類似の結果（または、対角行列ＱおよびＴが正値に限定される場合、同一の結果）に至ることに留意されたい。
【０１６１】
2020120389.tif 000025
【０１６２】
2020120389.tif 000026
【０１６３】
2020120389.tif 000027
【０１６４】
2020120389.tif 000028
【０１６５】
結合信号の共分散行列ＥSの条件に応じて、最後の方程式は、いくつかの正則化を含むことを必要としうるが、さもなければ、数値的に安定でなければならない。
【０１６６】
2020120389.tif 000029
【０１６７】
しかしながら、あるいは、サイド情報プロセッサ１５７０は、情報１５７４として、ミキサ１５９８に直接的に混合行列Ｆを供給も、しうる。
【０１６８】
さらに、混合行列Ｆのための計算規則は、特異値分解を使用することを記載されていた。しかしながら、原型行列Ｈの入力ａi,iおよびｂi,iが選択されうるので、ある自由度がある点に留意されたい。好ましくは、原型行列Ｈの入力は、およそ０および１の間で選択される。非相関化オーディオ信号のインパクトは、比較的小さく、そして、それは、若干の状況において望ましくもある一方、値ａi,iが１に近づくように選択されうる場合、レンダリングされた出力オーディオ信号の重要な混合がある。しかしながら、レンダリングされたオーディオ信号の間における弱い混合がある一方、若干の他の状況において、非相関化オーディオ信号の比較的大きいインパクトを有することをより望まれうる。この場合、値ｂi,iは、ａi,iより大きいように典型的に選択される。このように、デコーダ１５５０は、原型行列Ｈの入力を適切に選択することによって、前提条件に適応されうる。
【０１６９】
１４．４  出力共分散修正のための簡略化された方法
このセクションにおいて、前述の混合行列Ｆのための２つの変形例の構造は、その値を決定するための典型的なアルゴリズムとともに記載される。２つの変形例は、異なる入力コンテンツ（例えば、オーディオ・コンテンツ）のために設計される。
−  高い相関コンテンツ（例えば、異なるチャネル対の間の高い相関を伴うチャネル・ベースの入力）のための共分散調整方法
−  独立入力信号（例えば、たいてい独立とみなされる、オブジェクト・ベースの入力）のためのエネルギー補償方法
【０１７０】
2020120389.tif 000030
【０１７１】
2020120389.tif 000031
【０１７２】
2020120389.tif 000032
【０１７３】
2020120389.tif 000033
【０１７４】
2020120389.tif 000034
【０１７５】
2020120389.tif 000035
【０１７６】
2020120389.tif 000036
【０１７７】
このアプローチは、ドライ出力（例えば、レンダリングされたオーディオ信号１５８２ａ〜１５８２ｎ）を使用する良好な相互相関再構成の最大化を確実にし、そして、非相関化信号の混合の自由のみを利用する。換言すれば、レンダリングされたオーディオ信号（または、そのスケール化バージョン）と１つ以上の非相関化オーディオ信号とを結合する場合、異なるレンダリングされたオーディオ信号の間の混合は許容されない。しかしながら、出力オーディオ信号の相互相関特性または相互共分散特性を調整するために、所与の非相関化信号は、同じもしくは異なるスケール化、複数のレンダリングされたオーディオ信号、またはそのスケール化バージョンを結合することを許容する。ここで、定義されるように、例えば、結合は、行列Ｍによって定義される。
【０１７８】
以下に、制限行列Ｆ構造のためのいくつかの数学的な導出が提供される。
【０１７９】
換言すれば、簡略化された方法「Ａ」のための混合行列Ｍの導出が説明される。
【０１８０】
共分散行列ΔEおよびＥWは、
ΔE＝ＵＴＵH，ＥW＝ＶＱＶH
として、例えば、特異値分解（ＳＶＤ）を使用して表わされ、ＴおよびＱは、それぞれΔEおよびＥWの特異値を有する対角行列であり、ＵおよびＶは、対応する特異ベクトルを含むユニタリ行列である。
【０１８１】
（ＳＶＤの代わりに）シューア三角化または固有値分解のアプリケーションが、類似の結果（または、対角行列ＱおよびＴが正値に限定される場合、同一の結果）に至ることに留意されたい。
【０１８２】
2020120389.tif 000037
【０１８３】
方程式の両側が行列の正方形を表す点に留意して、我々は積算を落とし、全行列Ｍのために解決する。
【０１８４】
2020120389.tif 000038
【０１８５】
2020120389.tif 000039
【０１８６】
ウェット信号の共分散行列ＥWの条件に応じて、最後の方程式は、いくつかの正則化を含むことを必要としうるが、さもなければ、数値的に安定でなければならない。
【０１８７】
１４．４．２  エネルギー補償方法（Ｂ）
時々（アプリケーション・シナリオに応じて）、（例えば、レンダリングされたオーディオ信号の）パラメトリック再構成または非相関化信号の混合を許容することを望まないが、しかし、個々に、各パラメータ的に再構成された信号（例えば、レンダリングされたオーディオ信号）とそれ自身の非相関化信号のみを混合することが望ましい。
【０１８８】
2020120389.tif 000040
【０１８９】
このアプローチの主な目標は、パラメトリック再構成（例えば、レンダリングされたオーディオ信号）におけるエネルギーの損失を補償するように、非相関化信号を使用することになっている一方、出力信号の共分散行列の対角線の修正が無視される、すなわち、相互相関の直接的な取り扱いは、ない。従って、出力オブジェクト／チャネルの間（例えば、レンダリングされたオーディオ信号の間）のクロスリークは、非相関化信号のアプリケーションにおいて導かれない。
【０１９０】
その結果、ターゲット共分散行列（または所望の共分散行列）の主対角線のみに達し、非対角は、パラメトリック再構成および付加的な非相関化信号の精度の軽減にある。この方法は、信号が相関関係のないように考慮されるオブジェクトのみのベースのアプリケーションに最も適している。
【０１９１】
2020120389.tif 000041
【０１９２】
Ｃは、一般のケースのために前述したように決定されうる。
【０１９３】
2020120389.tif 000042
【０１９４】
エネルギーは、（例えば、ＯＬＤ，ＩＯＣ、およびレンダリング係数を使用して）パラメータ的に再構成されうるか、または、（典型的に、より計算的に価値のある）デコーダによって実質的に算出されうる点に留意されたい。
【０１９５】
2020120389.tif 000043
【０１９６】
この方法は、明確に、ドライのレンダリングされた出力の使用を最大にする。共分散行列が非対角の入力を有さない場合、方法は、単純化の「Ａ」を伴うものと等価である。
【０１９７】
この方法は、低減された計算量の複雑さを有する。
【０１９８】
しかしながら、エネルギー補償方法は、相互相関条件が修正されないことを必ずしも意味するものではない点に留意されたい。我々が、理想的な非相関器および非相関化装置のための複雑さの低減でないことを使用する場合だけ、これは保持する。方法の意図は、エネルギーを回復して、交差項における修正を無視することである（交差項における変化は、相関特性を実質的に修正せず、全体の空間印象に影響を及ぼさない）。
【０１９９】
１４．５  混合行列Ｆの前提条件
以下に、混合行列Ｆ、セクション１４．３および１４．４において記載されているその導出は、低下を回避する必要性を満たすと説明される。
【０２００】
2020120389.tif 000044
【０２０１】
2020120389.tif 000045
【０２０２】
2020120389.tif 000046
【０２０３】
その結果、このレンダリングシナリオにおいて、ダウンミックス信号に等しいようなシステム出力のための所与の前提条件は満たされる。
【０２０４】
１４．６  信号共分散行列ＥSの推定
混合行列Ｆを得るために、結合信号Ｓの共分散行列ＥSの情報が必要とされるか、または、少なくとも価値がある。
【０２０５】
2020120389.tif 000047
【０２０６】
2020120389.tif 000048
【０２０７】
2020120389.tif 000049
【０２０８】
2020120389.tif 000050
【０２０９】
2020120389.tif 000051
【０２１０】
2020120389.tif 000052
【０２１１】
１５．非相関化装置のための複雑さの低減
以下に、本発明による実施の形態において使用される非相関器の複雑さがどのように低減されうるかが記載される。
【０２１２】
非相関器の機能の実装は、しばしば、計算的に複雑である点に留意されたい。いくつかのアプリケーション（例えば、ポータブル・デコーダ・ソリューション）において、非相関器の数の制限は、制限された計算機のリソースのために導入されることを必要とされうる。このセクションは、適用される非相関器（または非相関化）の数を制御することによって、非相関器の装置の複雑さの低減のための手段の記載を提供する。非相関化装置のインターフェースは、図１６および図１７において表現される。
【０２１３】
2020120389.tif 000053
【０２１４】
2020120389.tif 000054
【０２１５】
2020120389.tif 000055
【０２１６】
非相関化装置１７００は、非相関器出力信号の第１のセットのＫ個の非相関器出力信号１７３２ａ〜１７３２ｋを受信し、それに基づいて、（「外部の」非相関器出力信号を構成する）非相関器出力信号の第２のセットのＮ個の信号１７１２ａ〜１７１２ｎを供給するように構成される、ポスト・ミキサ１７４０を含む。
【０２１７】
プレミキサ１７２０は、プレミキシング行列Ｍpreによって記載される線形混合処理を、好ましくは実行しうる。さらに、ポスト・ミキサ１７４０は、Ｋ個の非相関器出力信号１７３２ａ〜１７３２ｋの第１のセットから（すなわち、非相関器の主要部１７３０の出力信号から）非相関器出力信号の第２のセットのＮ個の非相関器出力信号１７１２ａ〜１７１２ｎを導出するために、ポストミキシング行列Ｍpostによって表されうる、線形混合（または、アップミックス）処理を、好ましくは実行する点に留意されたい。
【０２１８】
提案された方法と装置の主要な考えは、以下によって、ＮからＫへ、非相関器への（または非相関器の主要部への）入力信号の数を低減することである。
【０２１９】
2020120389.tif 000056
【０２２０】
2020120389.tif 000057
【０２２１】
2020120389.tif 000058
【０２２２】
2020120389.tif 000059
【０２２３】
2020120389.tif 000060
【０２２４】
使用される非相関器（または、個々の非相関器）の数Ｋは、特定されず、所望の計算量の複雑さおよび利用可能な非相関器に依存している。その値は、（最も高い計算量の複雑さの）Ｎ個から（最も低い計算量の複雑さの）１個に至るまで変化する。
【０２２５】
非相関器の装置への入力信号の数Ｎは、任意であり、そして、提案された方法は、システムのレンダリング構造において独立していて、いかなる入力信号の数を支持する。
【０２２６】
例えば、３Ｄのオーディオ・コンテンツを使用しているアプリケーションにおいて、多数出力チャネルについては、出力構成に応じて、プレミキシング行列Ｍpreのためのある可能な表現が後述される。
【０２２７】
以下において、非相関化装置１７００がマルチチャネル・オーディオ・デコーダにおいて使用された場合、プレミキサ１７２０（および、従って、ポスト・ミキサ１７４０によって実行されるポストミックス）によって実行されるプレミックスが、どのように調整されるかを記載する。ここで、非相関器入力信号の第１のセットの非相関器入力信号１７１０ａ〜１７１０ｎは、オーディオ・シーンの異なる空間的な位置と関連している。
【０２２８】
この目的のために、図１８は、異なる出力フォーマットのために使用されるスピーカ位置のテーブル表現を示す。
【０２２９】
図１８の表１８００において、第１列１８１０は、スピーカのインデックスナンバーを記載する。第２列１８２０は、スピーカラベルを記載する。第３列１８３０は、それぞれのスピーカの方位角の位置を記載し、第４列１８３２は、スピーカの位置の方位角の許容差を記載する。第５列１８４０は、それぞれのスピーカの位置の仰角を記載し、第６列１８４２は、対応する仰角許容差を記載する。第７列１８５０は、スピーカが出力フォーマットＯ−２．０のために使用されることを指し示す。第８列１８６０は、スピーカが出力フォーマットＯ−５．１のために使用されることを示す。第９列１８６４は、スピーカが出力フォーマットＯ−７．１のために使用されることを示す。第１０列１８７０は、スピーカが出力フォーマットＯ−８．１のために使用されることを示し、第１１列１８８０は、スピーカが出力フォーマットＯ−１０．１のために使用されることを示し、そして、第１２列１８９０は、スピーカが出力フォーマットＯ−２２．２のために使用されることを示す。表に示されるように、２個のスピーカが、出力フォーマットＯ−２．０のために使用され、６個のスピーカが、出力フォーマットＯ−５．１のために使用され、８個のスピーカが、出力フォーマット７．１のために使用され、９個のスピーカが、出力フォーマットＯ−８．１のために使用され、１１個のスピーカが、出力フォーマットＯ−１０．１に対して使用され、そして、２４個のスピーカが、出力フォーマットＯ−２２．２のために使用される。
【０２３０】
しかしながら、１つの低音効果のスピーカは、出力フォーマットＯ−５．１，Ｏ−７．１，Ｏ−８．１およびＯ−１０．１のために使用され、２つの低音効果のスピーカ（ＬＦＥ１，ＬＦＥ２）は、出力フォーマットＯ−２２．２のために使用される点に留意されたい。さらに、好ましい実施の形態において、１つ以上の低音効果のスピーカを除いて、１つのレンダリングされたオーディオ信号（例えば、レンダリングされたオーディオ信号１５８２ａ〜１５８２ｎのうちの１つ）が、スピーカの各々に関連している点に留意されたい。従って、２つのレンダリングされたオーディオ信号は、Ｏ−２．１フォーマットにより使用される２個のスピーカに関連しており、Ｏ−５．１フォーマットが使用される場合、５つのレンダリングされたオーディオ信号は、５個の低音効果でないスピーカに関連しており、Ｏ−７．１フォーマットが使用される場合、７つのレンダリングされたオーディオ信号は、７個の低音効果でないスピーカに関連しており、Ｏ−８．１フォーマットが使用される場合、８つのレンダリングされたオーディオ信号は、８個の低音効果でないスピーカに関連しており、Ｏ−１０．１フォーマットが使用される場合、１０個のレンダリングされたオーディオ信号が、１０個の低音効果でないスピーカに関連しており、そして、Ｏ−２２．２フォーマットが使用される場合、２２個のレンダリングされたオーディオ信号は、２２個の低音効果でないスピーカに関連している。
【０２３１】
2020120389.tif 000061
【０２３２】
図１９ａ〜図１９ｇは、Ｎ＝２２のレンダリングされたオーディオ信号があるという仮定のもとに、レンダリングされたオーディオ信号１５８２ａ〜１５８２ｎをプレミックスするための異なるオプションを表す。例えば、図１９ａは、プレミキシング行列Ｍpreの入力のテーブル表現を示す。図１９ａにおける１〜１１のラベルを付けられた行は、プレミキシング行列Ｍpreの行を表し、１〜２２のラベルを付けられた列は、プレミキシング行列Ｍpreの列を表す。さらに、プレミキシング行列Ｍpreの行の各々は、非相関器入力信号の第２のセットのＫ個の非相関器入力信号１７２２ａ〜１７２２ｋのうちの１つ（すなわち、非相関器の主要部の入力信号）に関連している点に留意されたい。さらに、プレミキシング行列Ｍpreの列の各々は、非相関器入力信号の第１のセットのＮ個の非相関器入力信号１７１０ａ〜１７１０ｎのうちの１つに関連しており、そして、その結果、（非相関器入力信号の第１のセットの非相関器入力信号１７１０ａ〜１７１０ｎが、実施の形態におけるレンダリングされたオーディオ信号１５８２ａ〜１５８２ｎに典型的に同一であるので）レンダリングされたオーディオ信号１５８２ａ〜１５８２ｎに関連している。従って、プレミキシング行列Ｍpreの列の各々は、特定のスピーカに関連し、そして、特定の空間的な位置に関連しているので、その結果、スピーカは空間的な位置に関連している。行１９１０は、プレミキシング行列Ｍpreの列が関連しているスピーカ（およびその結果、空間的な位置）を示す（ここで、スピーカのラベルは、表１８００の列１８２０において定義される）。
【０２３３】
以下において、図１９ａのプレミキシングＭpreによって定義される機能が、さらに詳細に記載される。表に示すように、スピーカ（または、スピーカ位置と同等）「ＣＨ＿Ｍ＿０００」および「ＣＨ＿Ｌ＿０００」に関連するレンダリングされたオーディオ信号は、非相関器入力信号の第２のセットの第１の非相関器入力信号（すなわち、第１のダウンミックスされた非相関器入力信号）を得るために結合され、そして、それは、プレミキシング行列Ｍpreの第１行の第１列および第２列における「１」の値によって指し示される。同様に、スピーカ（または、スピーカ位置と同等）「ＣＨ＿Ｕ＿０００」および「ＣＨ＿Ｔ＿０００」に関連するレンダリングされたオーディオ信号は、第２のダウンミックスされた非相関器入力信号（すなわち、非相関器入力信号の第２のセットの第２の非相関器入力信号）を得るために結合される。さらに、１１個のダウンミックスされた非相関器入力信号が、２２個のレンダリングされたオーディオ信号から導出されるように、図１９ａのプレミキシング行列Ｍpreは、２つのレンダリングされたオーディオ信号の１１の組み合わせを定義することが示されうる。（プレミキシング行列の１〜４列および１および２行を参照して）２つのダウンミックスされた非相関器入力信号を得るために、４つの中心の信号が結合されることを示す。さらに、他のダウンミックスされた非相関器入力信号が、オーディオ・シーンの同じ側に関連している２つのオーディオ信号を結合することによって各々得られることを示す。例えば、プレミキシング行列の第３行によって表される、第３のダウンミックスされた非相関器入力信号は、＋１３５°（「ＣＨ＿Ｍ＿Ｌ１３５」；「ＣＨ＿Ｕ＿Ｌ１３５」）の方位角の位置に関連しているレンダリングされたオーディオ信号を結合することによって得られる。さらに、（プレミキシング行列の第４行によって表される）第４の非相関器入力信号は、−１３５°（「ＣＨ＿Ｍ＿Ｒ１３５」；「ＣＨ＿Ｕ＿Ｒ１３５」）の方位角の位置に関連しているレンダリングされたオーディオ信号を結合することによって得られる。従って、ダウンミックスされた非相関器入力信号の各々は、その（または同等の）方位角の位置（または、同等の水平位置）に関連している２つのレンダリングされたオーディオ信号を結合することによって得られる。ここで、典型的には、異なる仰角（または、同等の垂直位置）に関連している信号の結合を有する。
【０２３４】
（プレミキシング行列Ｍpreの入力）Ｎ＝２２およびＫ＝１０に対するプレミキシング係数を示す図１９ｂを現在、参照する。図１９ｂの表の構成は、図１９ａの表の構成と同一である。しかしながら、表に示されるように、第１行が、チャネルＩＤ（または位置）「ＣＨ＿Ｍ＿０００」、「ＣＨ＿Ｌ＿０００」、「ＣＨ＿Ｕ＿０００」および「ＣＨ＿Ｔ＿０００」を有する４つのレンダリングされたオーディオ信号の結合を記載する点において、図１９ｂによるプレミキシング行列Ｍpreは、図１９ａのプレミキシング行列Ｍpreと異なる。換言すれば、垂直に隣接する位置に関連している４つのレンダリングされたオーディオ信号は、必要な非相関器（図１９ａによる行列のための１１個の非相関器の代わりに１０個の非相関器）の数を低減するためにプレミキシングにおいて結合される。
【０２３５】
（プレミキシング行列Ｍpreの入力）Ｎ＝２２およびＫ＝９に対するプレミキシング係数を示す図１９ｃを現在、参照し、表に示すように、図１９ｃによるプレミキシング行列Ｍpreは、９行のみにより構成される。さらに、第２のダウンミックスされた非相関器入力信号（非相関器入力信号の第２のセットの非相関器入力信号）を得るために、チャネルＩＤ（または位置）「ＣＨ＿Ｍ＿Ｌ１３５」、「ＣＨ＿Ｕ＿Ｌ１３５」、「ＣＨ＿Ｍ＿Ｒ１３５」および「ＣＨ＿Ｕ＿Ｒ１３５」に関連するレンダリングされたオーディオ信号が（図１９ｃによるプレミキシング行列により構成されるプレミキサにおいて）結合される点において、図１９ｃのプレミキシング行列Ｍpreの第２行から示されうる。表に示すように、図１９ａおよび図１９ｂによりプレミキシング行列によって別々にダウンミックスされた非相関器入力信号に結合されているレンダリングされたオーディオ信号は、図１９ｃによる共通のダウンミックスされた非相関器入力信号にダウンミックスされる。さらに、チャネルＩＤ「ＣＨ＿Ｍ＿Ｌ１３５」および「ＣＨ＿Ｕ＿Ｌ１３５」を有するレンダリングされたオーディオ信号は、オーディオ・シーンの同じ側における同一の水平位置（または方位角位置）および空間的に隣接する垂直位置（または仰角）に関連しており、そして、チャネルＩＤ「ＣＨ＿Ｍ＿Ｒ１３５」および「ＣＨ＿Ｕ＿Ｒ１３５」を有するレンダリングされたオーディオ信号は、オーディオ・シーンの第２の側における同一の水平位置（または方位角位置）および空間的に隣接する垂直位置（または仰角）に関連している点に留意されたい。さらに、チャネルＩＤ「ＣＨ＿Ｍ＿Ｌ１３５」、「ＣＨ＿Ｕ＿Ｌ１３５」、「ＣＨ＿Ｍ＿Ｒ１３５」および「ＣＨ＿Ｕ＿Ｒ１３５」を有するレンダリングされたオーディオ信号は、左側の位置および右側の位置を含んでいる空間的な位置の水平のペア（または、水平の４つの部分から構成される）に関連している。換言すれば、単一の所与の非相関器を使用して非相関化するように結合される４つのレンダリングされたオーディオ信号の２つが、オーディオ・シーンの左側の空間的な位置に関連しており、同じ所与の非相関器を使用して非相関化するように結合される４つのレンダリングされたオーディオ信号の２つが、オーディオ・シーンの右側の空間的な位置に関連している、図１９ｃのプレミキシング行列Ｍpreの第２行において示されうる。さらに、レンダリングされたオーディオ信号の「対称な」４つの部分から構成されることは、単一の（個々の）非相関器を使用して非相関化するようにプレミックスすることによって結合されるように、（前記４つのレンダリングされたオーディオ信号の）左側のレンダリングされたオーディオ信号は、（前記４つのレンダリングされたオーディオ信号の）右側のレンダリングされたオーディオ信号に関連している空間的な位置を伴って、オーディオ・シーンの中心面に関して対称的である空間的な位置に関連していることが分かる。
【０２３６】
図１９ｄ，１９ｅ，１９ｆおよび１９ｇを参照して、ますますレンダリングされたオーディオ信号が、（個々の）非相関器の数が減少とともに（すなわち、Ｋの減少とともに）結合されることが分かる。図１９ａ〜図１９ｇに示すように、典型的に、２つに分かれたダウンミックスされた非相関器入力信号にダウンミックスされるレンダリングされたオーディオ信号は、１によって非相関器の数を減少させる場合、結合される。さらに、典型的に、空間的な位置の「対称な４つの部分から構成される」に関連している、この種のレンダリングされたオーディオ信号が、結合される。ここで、非相関器の比較的高い数に対して、等しいか、少なくとも類似の水平位置（または方位角位置）に関連しているレンダリングされたオーディオ信号が結合される。その一方で、非相関器の比較的低い数に対して、オーディオ・シーンの対向側における空間的な位置に関連しているレンダリングされたオーディオ信号も結合される。
【０２３７】
今、図２０ａ〜２０ｄ、２１ａ〜２１ｃ、２２ａ〜２２ｂおよび２３を参照して、類似のコンセプトが、レンダリングされたオーディオ信号の異なる数に対しても適用されうる。
【０２３８】
例えば、図２０ａ〜２０ｄは、Ｎ＝１０およびＫは２と５の間に対する、プレミキシング行列Ｍpreの入力を記載する。
【０２３９】
同様に、図２１ａ〜２１ｃは、Ｎ＝８およびＫは２と４の間に対する、プレミキシング行列Ｍpreの入力を記載する。
【０２４０】
同様に、図２１ｄ〜２１ｆは、Ｎ＝７およびＫは２と４の間に対する、プレミキシング行列Ｍpreの入力を記載する。
【０２４１】
図２２ａおよび２２ｂは、Ｎ＝５ならびにＫ＝２およびＫ＝３に対する、プレミキシング行列の入力を示す。
【０２４２】
最後に、図２３は、Ｎ＝２およびＫ＝１に対する、プレミキシング行列の入力を示す。
【０２４３】
要約すると、マルチチャネル・オーディオ・デコーダの一部であるマルチチャネル非相関器において、図１９〜２３によるプレミキシング行列は、例えば、切り替え可能な方法で使用されうる。プレミキシング行列の間の切り替えは、例えば、（Ｎ個のレンダリングされたオーディオ信号を典型的に決定する）所望の出力構成に基づき、そして、（例えば、パラメータＫを決定し、そして、オーディオ・コンテンツの符号化表現において含まれる複雑さの情報に基づいて調整されうる）非相関化の所望の複雑さにも基づいて、実行されうる。
【０２４４】
今、図２４を参照して、２２．２出力フォーマットのための複雑さの低減が、詳細に記載されている。既に、上で概説されるように、プレミキシング行列およびポストミキシング行列を構成するための１つの可能な解決法は、一緒に混合されたチャネルを選択するために、再生レイアウトの空間的情報を使用することであり、そして、ミキシング係数を算出する。それらの位置に基づいて、幾何学的に関連したスピーカ（および、例えば、それに関連しているレンダリングされたオーディオ信号）は、図２４の表において記載されるように垂直および水平の対を与え、グループ化される。換言すれば、図２４は、表の形式において、レンダリングされたオーディオ信号に関連しうるように、スピーカの位置のグループ分けを示す。例えば、第１行２４１０は、オーディオ・シーンの中央におけるスピーカ位置の第１グループを記載する。第２行２４１２は、空間的に関連しているスピーカ位置の第２グループを表す。スピーカ位置「ＣＨ＿Ｍ＿Ｌ１３５」および「ＣＨ＿Ｕ＿Ｌ１３５」は、同一の方位角位置（または水平位置に同等）および隣接する仰角位置（または垂直に隣接する位置に同等）に関連している。同様に、位置「ＣＨ＿Ｍ＿Ｒ１３５」および「ＣＨ＿Ｕ＿Ｒ１３５」は、同一の方位角（または同一の水平位置に同等）および同様の仰角（または垂直に隣接する位置に同等）を含む。さらに、位置「ＣＨ＿Ｍ＿Ｌ１３５」、「ＣＨ＿Ｕ＿Ｌ１３５」、「ＣＨ＿Ｍ＿Ｒ１３５」および「ＣＨ＿Ｕ＿Ｒ１３５」は、位置の４つの部分から構成される。ここで、位置「ＣＨ＿Ｍ＿Ｌ１３５」および「ＣＨ＿Ｕ＿Ｌ１３５」は、オーディオ・シーンの中心面に関して、位置「ＣＨ＿Ｍ＿Ｒ１３５」および「ＣＨ＿Ｕ＿Ｒ１３５」に対称である。さらに、位置「ＣＨ＿Ｍ＿１８０」および「ＣＨ＿Ｕ＿１８０」も同一の方位角の位置（または同一の水平位置に同等）および同様の仰角（または隣接する垂直位置に同等）を含む。
【０２４５】
第３行２４１４は、位置の第３グループを表す。位置「ＣＨ＿Ｍ＿Ｌ０３０」および「ＣＨ＿Ｌ＿Ｌ０４５」は、空間的に隣接する位置であり、同様な方位角（または同様な水平位置に同等）および同様な仰角（または同様な垂直位置に同等）を含む点に留意されたい。同じことは、位置「ＣＨ＿Ｍ＿Ｒ０３０」および「ＣＨ＿Ｌ＿Ｒ０４５」に対しても維持する。さらに、位置の第３グループの位置は、位置の４つの部分から構成されるように形成される。ここで、位置「ＣＨ＿Ｍ＿Ｌ０３０」および「ＣＨ＿Ｌ＿０４５」は、位置「ＣＨ＿Ｍ＿Ｒ０３０」および「ＣＨ＿Ｌ＿Ｒ０４５」に空間的に隣接しており、オーディオ・シーンの中心面に関して対称である。
【０２４６】
第４行２４１６は、４つの追加の位置を表し、第２行の第１の４つの位置と比較したとき、同様の特性を有しており、位置の対称に４つの部分から構成されるように形成する。
【０２４７】
第５行２４１８は、対称の位置「ＣＨ＿Ｍ＿Ｌ０６０」、「ＣＨ＿Ｕ＿Ｌ０４５」、「ＣＨ＿Ｍ＿Ｒ０６０」および「ＣＨ＿Ｕ＿Ｒ０４５」の他の４つの部分から構成されることを表す。
【０２４８】
さらに、位置の異なるグループの位置に関連しているレンダリングされたオーディオ信号は、非相関器の数の減少とともにますます結合されうる点に留意されたい。例えば、マルチチャネル非相関器における１１個の個々の非相関器において、第１および第２列における位置に関連しているレンダリングされたオーディオ信号は、各グループに対して結合されうる。加えて、第３および第４列において表される位置に関連しているレンダリングされたオーディオ信号は、各グループに対して結合されうる。さらに、第５および第６列において示される位置に関連しているレンダリングされたオーディオ信号は、第２グループに対して結合される。従って、（個々の非相関器に入力される）１１個のダウンミックス非相関器入力信号が得られうる。しかしながら、より少ない個々の非相関器を有することが望ましい場合、１〜４列において示される位置に関連しているレンダリングされたオーディオ信号は、１つ以上のグループに対して結合されうる。また、個々の非相関器の数をさらに減少することが望ましい場合、第２のグループのすべての位置に関連しているレンダリングされたオーディオ信号が結合されうる。
【０２４９】
要約すると、出力レイアウト（例えば、スピーカに）に供給される信号は、水平および垂直依存があり、非相関化処理の間、維持されなければならない。従って、異なるスピーカのグループに対応するチャネルが一緒に混合されないように、ミキシング係数は算出される。
【０２５０】
利用可能な非相関器の数、または非相関化の所望のレベルに応じて、各グループにおいて、第１は、（中間層および上層との間、または中間層および下層の間における）垂直のペアを一緒に混合される。第２に、（左と右の間における）水平のペアまたは残りの垂直のペアが一緒に混合される。例えば、グループ３において、最初に、左の垂直のペア（「ＣＨ＿Ｍ＿Ｌ０３０」および「ＣＨ＿Ｌ＿Ｌ０４５」）と右の垂直のペア（「ＣＨ＿Ｍ＿Ｒ０３０」および「ＣＨ＿Ｌ＿Ｒ０４５」）におけるチャネルが一緒に混合され、このようにして、４から２まで、このグループのための必要な非相関器の数を減少する。非相関器の数をより減らすことが望ましい場合、得られた水平ペアは、１つのチャネルのみにダウンミックスされ、このグループのための必要な非相関器の数は、４から１まで減らされる。
【０２５１】
提示された混合規則に基づいて、（例えば、図１９〜２３において示される）前述の表は、所望の非相関器の異なるレベルに対して（または、所望の非相関器の複雑さの異なるレベルに対して）導出される。
【０２５２】
１６．第２の外部のレンダラ／フォーマット変換器との互換性
ＳＡＯＣデコーダ（または、さらに一般的にいえば、マルチチャネル・オーディオ・デコーダ）が、外部の第２のレンダラ／フォーマット変換器と共に使用される場合、以下において、提案されたコンセプト（方法または装置）に対する変更が、使用されうる。
【０２５３】
2020120389.tif 000062
【０２５４】
−  非相関器の数が、レンダラ／フォーマット変換器から受信されたフィードバック情報に基づいて算出されるプレミキシング行列Ｍpreを有するセクション１５において記載される方法を使用して低減される（例えば、Ｍpre＝Ｄconvert、ここで、Ｄconvertは、フォーマット変換器の内部で使用されるダウンミックス行列である。）。ＳＡＯＣデコーダの外側で一緒に混合されるチャネルは、一緒にプレミックスされ、そして、ＳＡＯＣデコーダの内部の同じ非相関器に供給される。
【０２５５】
外部フォーマット変換器を用いて、ＳＡＯＣ内部レンダラは、中間の構造（例えば、最多数のスピーカの構造）にプレレンダラする。
【０２５６】
結論として、プレミキシング行列が、外部レンダラに実際に結合される（非相関器入力信号の第１のセットの）この種の非相関器入力信号の組み合わせを定義するように、いくつかの実施の形態において、出力オーディオ信号についての情報は、外部レンダラにおいて一緒に混合されるか、またはフォーマット変換器がプレミキシング行列Ｍpreを決定するように使用される。このように、（マルチチャネル非相関器の出力オーディオ信号を受信する）外部レンダラ／フォーマット変換器から受信された情報は（例えば、マルチチャネル・オーディオ・デコーダの内部レンダリング行列が固有にセットされるか、または、中間のレンダリング構造から導出されたミキシング係数に初期化するように設定される場合に）、プレミキシング行列を選択もしくは調整するように使用され、そして、外部レンダラ／フォーマット変換器は、マルチチャネル・オーディオ・デコーダに関して、上記したように出力オーディオ信号を受信するように接続される。
【０２５７】
１７．ビットストリーム
以下において、追加の信号伝達情報がビットストリームにおいて（または、オーディオ・コンテンツの符号化表現において、同等に）使用されうることが記載される。本発明による実施の形態において、非相関化の方法は、所望の品質レベルを確実にするためのビットストリームに信号を送信されうる。このような方法で、ユーザ（またはオーディオ・エンコーダ）は、コンテンツに基づいて方法を選択するように、より多くの柔軟性を有する。この目的のために、ＭＰＥＧ  ＳＡＯＣビットストリーム構文は、例えば、使用された非相関化の方法を特定するための２ビットおよび／または構造（または複雑さ）を特定するための２ビットによって延長されうる。
【０２５８】
図２５は、例えば、ビットストリーム部「ＳＡＯＣＳｐｅｃｉｆｉｇＣｏｎｆｉｇ（）」または「ＳＡＯＣ３ＤＳＳｐｅｃｉｆｉｃＣｏｎｆｉｇ（）」に追加されうる、ビットストリーム要素「ｂｓＤｅｃｏｒｒｌｌａｔｉｏｎＭｅｔｈｏｄ」および「ｂｓＤｅｃｏｒｒｅｌａｔｉｏｎＬｅｖｅｌ」の構文表現を示す。図２５に示されるように、２つのビットは、ビットストリーム要素「ｂｓＤｅｃｏｒｒｅｌａｔｉｏｎＭｅｔｈｏｄ」のために使用され、そして、２つのビットは、ビットストリーム要素「ｂｓＤｅｃｏｒｒｅｌａｔｉｏｎＬｅｖｅｌ」のために使用されうる。
【０２５９】
図２６は、表の形式において、ビットストリーム変数「ｂｓＤｅｃｏｒｒｅｌａｔｉｏｎＭｅｔｈｏｄ」の値と異なる非相関化方法との間の関連性を示す。例えば、３つの異なる非相関化の方法が、前記ビットストリーム変数の異なる値によって信号を送信されうる。例えば、セクション１４．３において記載されるように、例えば、非相関化信号を使用する出力共分散修正は、オプションのうちの１つとして信号を送信されうる。他のオプションとして、例えば、セクション１４．４．１において記載されるように、共分散調整方法が信号を送信されうる。さらにもう１つのオプションとして、例えば、セクション１４．４．２において記載されるように、エネルギー補償方法が信号を送信されうる。従って、レンダリングされたオーディオ信号および非相関化オーディオ信号に基づいて出力オーディオ信号の信号特性の再構成のための３つの異なる方法は、ビットストリーム変数に依存して選択されうる。
【０２６０】
エネルギー補償モードは、セクション１４．４．２において記載される方法を使用し、、制限された共分散調整モードは、セクション１４．４．１において記載される方法を使用し、一般の共分散調整モードは、セクション１４．３において記載される方法を使用する。
【０２６１】
今、表の表現の形式において、異なる非相関化レベルが、ビットストリーム変数「ｂｓＤｅｃｏｒｒｅｌａｔｉｏｎＬｅｖｅｌ」によってどのように信号を送信されうるかを示す図２７への参照することで、非相関化の複雑さを選択する方法が記載される。換言すれば、前記変数は、非相関化の複雑さが使用されるかについて決定するように、上記のマルチチャネル非相関器を含むマルチチャネル・オーディオ・デコーダによって評価されうる。例えば、前記ビットストリーム・パラメータは、値０，１，２および３を示されうる異なる非相関化「レベル」の信号を送信しうる。
【０２６２】
（例えば、非相関化レベルとして示されうる）非相関化の構成の例が、図２７の表において与えられる。図２７は、異なる「レベル」（例えば、非相関化レベル）および出力構造のための非相関器の数の表の表現を示す。換言すれば、図２７は、マルチチャネル非相関器によって使用される（非相関器入力信号の第２のセットの）Ｋ個の非相関器入力信号を示す。図２７の表において示されるように、ビットストリーム・パラメータ「ｂｓＤｅｃｏｒｒｅｌａｔｉｏｎＬｅｖｅｌによって信号を送信される「非相関化レベル」に基づいて、マルチチャネル非相関器において使用される（個々の）非相関器の数は、２２．２の出力構造に対して、１１，９，７および５の間において切り替えられる。１０．１の出力構造に対して、選択は、１０，５，３および２の個々の非相関器の間においてなされ、８．１の構造に対して、選択は、８，４，３または２の個々の非相関器の間においてなされ、そして、７．１の出力構造に対して、選択は、前記ビットストリーム・パラメータによって信号を送信される「非相関化レベル」に依存する、７，４，３および２の非相関器の間においてなされる。５．１の出力構造において、個々の非相関器の数、すなわち、５，３または２のような個々の非相関器の数のための３つの有効なオプションのみを有する。２．１の出力構造に対して、２つの個々の非相関器（非相関化レベル０）と１つの個々の非相関器（非相関化レベル１）との間の選択のみである。
【０２６３】
要約すると、非相関化の方法は、計算機のパワーおよび利用可能な非相関器の数に基づいて、デコーダ側で決定されうる。加えて、非相関器の数の選択は、エンコーダ側でなされ、ビットストリーム・パラメータを使用して信号の送信がなされる。
【０２６４】
従って、出力オーディオ信号を得るために、非相関化オーディオ信号がどのように適用されるか２つの方法が適用され、そして、非相関化信号の供給のための複雑さが、図２５において示されるビットストリーム・パラメータを使用してオーディオ・エンコーダのサイドから制御され、そして、図２６および２７においてより詳細に定義される。
【０２６５】
１８．発明の処理のためのアプリケーションの分野
オーディオ・シーンの人間の認識のためのより大きな重要性である導かれた方法の目的のうちの１つが、オーディオ・キューを復元することである点に留意されたい。本発明による実施の形態は、エネルギーのレベルおよび相関特性の再構成の正確さを改善し、従って、最後の出力信号の知覚的なオーディオ品質を増加させる。本発明による実施の形態は、任意の数のダウンミックス／アップミックスチャネルのために適用されうる。さらに、本願明細書において記載される方法および装置は、既存のパラメータのソース分離アルゴリズムと結合されうる。本発明による実施の形態は、適用される非相関化の機能の数における設定の制約によってシステムの計算の複雑さを制御することを許容する。本発明による実施の形態は、ＭＰＳトランスコーディング・ステップを取り除くことによって、ＳＡＯＣのようなオブジェクト・ベースのパラメトリック構造アルゴリズムの簡略化に通じうる。
【０２６６】
１９．符号化／復号化の環境
以下において、本発明によるコンセプトが適用されるオーディオ符号化／復号化の環境が記載される。
【０２６７】
本発明によるコンセプトが使用されうる３Ｄオーディオ・コーデック・システムは、チャネルの符号化のためのＭＰＥＧ−Ｄ  ＵＳＡＣコーデックおよびオブジェクトの大量の符号化のための効率を増加させるためのオブジェクト信号に基づく。ＭＰＥＧ−ＳＡＯＣ技術は、適応されている。レンダラの３つのタイプは、チャネルへのレンダリングオブジェクト、ヘッドホンへのレンダリングチャネル、または異なるスピーカセットへのレンダリングチャネルのタスクを実行する。オブジェクト信号が、ＳＡＯＣを使用して明確に送信されるか、またはパラメータ的に符号化される場合に、対応するオブジェクトのメタデータ情報が圧縮され、そして、３Ｄオーディオ・ストリームに多重化される。
【０２６８】
図２８，２９および３０は、３Ｄオーディオ・システムの異なるアルゴリズムのブロックに示す。
【０２６９】
図２８は、この種のオーディオ・エンコーダのブロック概略図を示し、そして、図２９は、この種のオーディオ・デコーダのブロック概略図を示す。換言すれば、図２８および２９は、３Ｄオーディオ・システムの異なるアルゴリズムのブロックを示す。
【０２７０】
３Ｄオーディオ・エンコーダ２９００のブロック概略図を示す図２８を参照することで、いくつかの詳細は説明される。エンコーダ２９００は、１つ以上のチャネル信号２９１２および１つ以上のオブジェクト信号２９１４を受信し、そして、それに基づいて、１つ以上のチャネル信号２９１６および１つ以上のオブジェクト信号２９１８，２９２０を供給するオプションのプレレンダラ／ミキサ２９１０を含む。オーディオ・エンコーダは、ＵＳＡＣエンコーダ２９３０および任意にＳＡＯＣエンコーダ２９４０も含む。ＳＡＯＣエンコーダ２９４０は、１つ以上のＳＡＯＣトランスポート・チャネル２９４２およびＳＡＯＣエンコーダに供給される１つ以上のオブジェクト２９２０に基づいてＳＡＯＣサイド情報２９４４を供給するように構成される。さらに、ＵＳＡＣエンコーダ２９３０は、プレレンダラ／ミキサ２９１０からチャネルおよびプレレンダリングされたオブジェクトを含むチャネル信号２９１６を受信し、プレレンダラ／ミキサ２９１０から１つ以上のオブジェクト信号２９１８を受信し、そして、１つ以上のＳＡＯＣトランスポート・チャネル２９４２およびＳＡＯＣサイド情報２９４４を受信し、そして、それに基づいて、符号化表現２９３２を供給するように構成される。さらに、オーディオ・エンコーダ２９００は、（プレレンダラ／ミキサ２９１０によって評価されうる）オブジェクト・メタデータ２９５２を受信し、符号化オブジェクト・メタデータ２９５４を得るためにオブジェクト・メタデータを符号化するように構成される、オブジェクト・メタデータ・エンコーダ２９５０も含む。符号化メタデータは、ＵＳＡＣエンコーダ２９３０によっても受信され、符号化表現２９３２を供給するために使用される。
【０２７１】
オーディオ・エンコーダ２９００の個々の構成要素に関するいくつかの詳細が以下に説明される。
【０２７２】
図２９を参照することで、オーディオ・デコーダ３０００が記載される。オーディオ・デコーダ３０００は、符号化表現３０１０を受信し、それに基づいて、マルチチャネル・スピーカ信号３０１２、ヘッドホン信号３０１４および／または代替フォーマットにおける（例えば、５．１フォーマットにおける）スピーカ信号３０１６を供給するように構成される。オーディオ・デコーダ３０００は、符号化表現３０１０に基づいて、１つ以上のチャネル信号３０２２、１つ以上のプレレンダリングされたオブジェクト信号３０２４、１つ以上のオブジェクト信号３０２６、１つ以上のＳＡＯＣトランスポート・チャネル３０２８、ＳＡＯＣサイド情報３０３０および圧縮されたオブジェクト・メタデータ情報３０３２を供給する、ＵＳＡＣデコーダ３０２０を含む。オーディオ・デコーダ３０００は、１つ以上のオブジェクト信号３０２６およびオブジェクト・メタデータ情報３０４４に基づいて、１つ以上のレンダリングされたオブジェクト信号３０４２を供給するように構成されるオブジェクト・レンダラ３０４０も含む。ここで、オブジェクト・メタデータ情報３０４４は、圧縮されたオブジェクト・メタデータ情報３０３２に基づいて、オブジェクト・メタデータ・デコーダ３０５０によって供給される。オーディオ・デコーダ３０００は、ＳＡＯＣトランスポート・チャネル３０２８およびＳＡＯＣサイド情報３０３０を受信し、それに基づいて、１つ以上のレンダリングされたオブジェクト信号３０６２を供給するように構成されるＳＡＯＣデコーダ３０６０も任意に含む。オーディオ・デコーダ３０００は、チャネル信号３０２２、プレレンダリングされたオブジェクト信号３０２４．レンダリングされたオブジェクト信号３０４２、およびレンダリングされたオブジェクト信号３０６２を受信し、それに基づいて、例えば、マルチチャネル・スピーカ信号３０１２を構成する複数の混合チャネル信号３０７２を供給するように構成されるミキサ３０７０も含む。オーディオ・デコーダ３０００は、例えば、混合チャネル信号３０７２を受信し、それに基づいて、ヘッドホン信号３０１４を供給するように構成される、バイノーラル・レンダラ３０８０も含む。さらに、オーディオ・デコーダ３０００は、混合チャネル信号３０７２および再構成レイアウト情報３０９２を受信し、それに基づいて、代替のスピーカセットのためにスピーカ信号３０１６を供給するように構成されるフォーマット変換器３０９０を含みうる。
【０２７３】
以下において、オーディオ・エンコーダ２９００およびオーディオ・デコーダ３０００の構成要素に関するいくつかの詳細が、記載されている。
【０２７４】
１９．１  プレレンダラ／ミキサ
プレレンダラ／ミキサ２９１０は、符号化前に、チャネルに加えて、オブジェクト入力シーンをチャネル・シーンに変換するために任意に使用されうる。機能的に、例えば、それは、後述するオブジェクト・レンダラ／ミキサと同一もありうる。
【０２７５】
オブジェクトのプレレンダリングは、同時に能動的なオブジェクト信号の数から独立しているエンコーダ入力での決定論的な信号エントロピーを、例えば、確実にしうる。
【０２７６】
オブジェクトのプレレンダリングについて、オブジェクト・メタデータの伝送は、必要とされない。
【０２７７】
個別のオブジェクト信号は、エンコーダが使用するように構成されるチャネル・レイアウトにレンダリングされ、各チャネルに対するオブジェクトの重みは、関連するオブジェクト・メタデータ（ＯＡＭ）１９５２から得られる。
【０２７８】
１９．２  ＵＳＡＣの主要部のコーデック
スピーカチャネル信号、個々のオブジェクト信号、オブジェクト・ダウンミックス信号およびプレレンダリングされた信号のための主要部のコーデック２９３０，３０２０は、ＭＰＥＧ−Ｄ  ＵＳＡＣ技術に基づく。それは、入力チャネルおよびオブジェクト割り当ての幾何学的および意味論的な情報に基づくチャネルおよびオブジェクト・マッピング情報をもたらすことによる多数の信号の復号化を扱う。このマッピング情報は、どのように、入力チャネルおよびオブジェクトがＵＳＡＣチャネル要素（ＣＰＥ，ＳＣＥ，ＬＦＥ）にマッピングされるか、そして、対応する情報は、デコーダに送信されるかを記載する。
【０２７９】
ＳＡＯＣデータまたはオブジェクト・メタデータのようなすべての追加のペイロードは、拡張要素を通して渡しており、エンコーダレート制御において考慮されている。オブジェクトの復号化は、レンダラのためレート／歪みの前提条件および双方向性の前提条件によって決まる異なる方法で可能である。以下のオブジェクト符号化変数が可能である。
【０２８０】
・  プレレンダリングされたオブジェクト：オブジェクト信号は、符号化前にプレレンダリングされ、２２．２チャネル信号に混合される。次の符号化チェーンは、２２．２チャネル信号を参照する。
【０２８１】
・  別々のオブジェクト波形：エンコーダにモノラル波形として適用されるようなオブジェクト。エンコーダは、チャネル信号に加えて、オブジェクトを送信するために単一のチャネル要素ＳＣＥを使用する。復号化オブジェクトは、レンダリングされ、受信側で混合される。圧縮されたオブジェクト・メタデータ情報は、同時に、受信機／レンダラに送信される。
【０２８２】
・  パラメータのオブジェクト波形：オブジェクト特性および各々に対するそれらの関係は、ＳＡＯＣパラメータによって記載されている。オブジェクト信号のダウンミックスは、ＵＳＡＣによって符号化される。パラメータ情報は、同時に送信される。ダウンミックスの数は、オブジェクトの数および全体のデータレートに応じて選択される。圧縮されたオブジェクト・メタデータ情報は、ＳＡＯＣレンダラに送信される。
【０２８３】
１９．３.  ＳＡＯＣ
オブジェクト信号のためのＳＡＯＣエンコーダ２９４０およびＳＡＯＣデコーダ３０６０は、ＭＰＥＧ  ＳＡＯＣ技術に基づく。システムは、送信されたチャネルおよび付加的なパラメータ・データ（オブジェクト・レベル差ＯＬＤ、内部オブジェクト相関ＩＯＣ、ダウンミックス・ゲインＤＭＧ）より少ない数に基づいて、オーディオ・オブジェクトの数を再形成し、修正し、そしてレンダリングすることができる。付加的なパラメータのデータは、復号化を非常に効率的にし、個々に、すべてのオブジェクトを送信するための必要であるより著しく低いデータレートを示す。ＳＡＯＣエンコーダは、モノラル波形としてオブジェクト／チャネル信号を入力し、そして、（３Ｄオーディオ・ビットストリーム２９３２，３０１０に圧縮される）パラメトリック情報および（単一のチャネル要素を使用して符号化され、送信される）ＳＡＯＣトランスポート・チャネルを出力する。ＳＡＯＣデコーダ３０００は、復号化ＳＡＯＣトランスポート・チャネル３０２８およびパラメータの情報３０３０からオブジェクト／チャネル信号を再構成し、再構成レイアウト、展開されたオブジェクト・メタデータ情報およびユーザ相互作用情報のオプションに基づいて、出力オーディオ・シーンを生成する。
【０２８４】
１９．４．  オブジェクト・メタデータ・コーデック
オブジェクト毎に、３Ｄ空間におけるオブジェクトの幾何学的な位置および量を特定する関連するメタデータは、時間および空間のオブジェクト特性の量子化によって、効率よく符号化される。圧縮されたオブジェクト・メタデータｃＯＡＭ２９５４，３０３２は、サイド情報として受信機に送信される。
【０２８５】
１９．５．  オブジェクト・レンダラ／ミキサ
オブジェクト・レンダラは、所与の再構成フォーマットに従ってオブジェクト波形を生成するために、展開されたオブジェクト・メタデータＯＡＭ３０４４を利用する。各オブジェクトは、そのメタデータに従って、特定の出力チャネルにレンダリングされる。このブロックの出力は、部分的な結果の合計から結果を得る。
【０２８６】
コンテンツと個々の／パラメータのオブジェクトに基づく両方のチャネルが復号化される場合、結果として得られる波形を出力する前に（または、バイノーラル・レンダラもしくはスピーカ・レンダラ・モジュールのようなポスト・プロセッサ・モジュールにそれらを供給する前に）、チャネル・ベースの波形とレンダリングされたオブジェクトの波形が混合される。
【０２８７】
１９．６．  バイノーラル・レンダラ
各入力チャネルが仮想音源によって表されるように、バイノーラル・レンダラ・モジュール３０８０は、マルチチャネル・オーディオ材料のバイノーラルのダウンミックスを生じる。処理は、ＱＭＦ領域にフレームごとに実行される。バイノーラル化は、測定されたバイノーラルの部屋のインパルス応答に基づく。
【０２８８】
１９．７  スピーカ・レンダラ／フォーマット変換器
スピーカ・レンダラ３０９０は、送信されたチャネル構成および所望の再生フォーマットとの間で変換する。以下において、それは、「フォーマット変換器」と呼ばれる。フォーマット変換器は、より少ない数の出力チャネルに変換する、すなわち、ダウンミックスを生成する。システムは、自動的に入出力フォーマットの所与の組み合わせのための最適化されたダウンミックス行列を生成して、ダウンミックス処理においてこれらの行列を適用する。フォーマット変換器は、標準のスピーカの構成と同様に、非標準のスピーカの位置を有するランダムな構成を許容する。
【０２８９】
図３０は、フォーマット変換器のブロック概略図を示す。換言すれば、図３０は、フォーマット変換器の構造を示す。
【０２９０】
図で示されるように、フォーマット変換器３１００は、ミキサ出力信号３１１０、例えば、混合チャネル信号３０７２を受信し、スピーカ信号３１１２、例えば、スピーカ信号３０１６を供給する。フォーマット変換器は、ＱＭＦ領域におけるダウンミックス処理３１２０およびダウンミックス・コンフィギュレータ３１３０を含む。ここで、ダウンミックス・コンフィギュレータは、ミキサ出力レイアウト情報３０３２および再構成レイアウト情報３０３４に基づいて、コンフィギュレーション情報をダウンミックス処理３０２０に供給する。
【０２９１】
１９．８．概論
さらに、本願明細書において記載されたコンセプト、例えば、オーディオ・デコーダ１００、オーディオ・エンコーダ２００、マルチチャネル非相関器６００、マルチチャネル・オーディオ・デコーダ７００、オーディオ・エンコーダ８００またはオーディオ・デコーダ１５５０が、オーディオ・エンコーダ２９００および／またはオーディオ・デコーダ３０００において使用されうる点に留意されたい。例えば、前述のオーディオ・エンコーダ／デコーダは、ＳＡＯＣエンコーダ２９４０の一部としておよび／またはＳＡＯＣデコーダ３０６０の一部として使用されうる。一方、前述のコンセプトは、３Ｄオーディオ・デコーダ３０００および／またはオーディオ・エンコーダ２９００の他の位置でも使用されうる。
【０２９２】
当然、前述の方法は、図２８および２９に従って、オーディオ情報を符号化または復号化するためのコンセプトにおいても使用されうる。
【０２９３】
２０．付加的な実施の形態
２０．１  はじめに
以下において、本発明による他の実施の形態が、記載される。
【０２９４】
図３１は、本発明の実施の形態によるダウンミックス・プロセッサのブロック概略図を示す。
【０２９５】
ダウンミックス・プロセッサ３１００は、アップミキサ３１１０、レンダラ３１２０、コンバイナ３１３０およびマルチチャネル非相関器３１４０を含む。レンダラは、レンダリングされたオーディオ信号Ｙdryをコンバイナ３１３０およびマルチチャネル非相関器３１４０に供給する。マルチチャネル非相関器は、（非相関器入力信号の第１のセットとしてみなされうる）レンダリングされたオーディオ信号を受信し、それに基づいて非相関器入力信号のプレミックスされた第２のセットを非相関器の主要部３１６０に供給する、プレミキサ３１５０を含む。非相関器の主要部は、ポスト・ミキサ３１７０によって利用するために、非相関器入力信号の第２のセットに基づいて、非相関器出力信号の第１のセットを供給する。ポスト・ミキサは、コンバイナ３１３０に供給されるポストミックスされた非相関器出力信号の第２のセットを得るために、非相関器の主要部３１６０によって供給された非相関器出力信号をポストミックス（または、アップミックス）する。
【０２９６】
レンダラ３１３０は、例えば、レンダリングするための行列Ｒを適用し、プレミキサは、例えば、プレミックスするための行列Ｍpreを適用し、ポスト・ミキサは、例えば、ポストミックスするための行列Ｍpostを適用し、そして、コンバイナは、例えば、結合するための行列Ｐを適用する。
【０２９７】
ダウンミックス・プロセッサ３１００または個々の構成要素またはその機能は、本願明細書において記載されるオーディオ・デコーダにおいて、使用されうる点に留意されたい。さらに、ダウンミックス・プロセッサは、本願明細書において記載されるいくつかの特徴および機能によって補充されうる点に留意されたい。
【０２９８】
２０．２．  ＳＡＯＣ  ３Ｄ処理
ＩＳＯ／ＩＥＣ  ２３００３−１：２００７に記載されているハイブリッド・フィルタバンクが適用される。ＤＭＧ、ＯＬＤ、ＩＯＣパラメータの逆量子化は、ＩＳＯ／ＩＥＣ  ２３００３−２：２０１０の７．１．２において定義されるように同じ規則に従う。
【０２９９】
２０．２．１  信号およびパラメータ
オーディオ信号は、あらゆる時間枠ｎおよびあらゆるハイブリッド・サブバンドｋに対して定義される。対応するＳＡＯＣ  ３Ｄパラメータは、各パラメータ時間枠ｌおよび処理バンドｍに対して定義される。ハイブリッドおよびパラメータ領域間の次のマッピングは、ＩＳＯ／ＩＥＣ  ２３００３−１：２００７の表Ａ．３１によって特定される。それゆえ、すべての計算は、特定の時間／バンド・インデックスに関して実行され、そして、対応する次元は、各導入変数に対して暗に定義される。
【０３００】
ＳＡＯＣ  ３Ｄデコーダで利用可能なデータは、マルチチャネル・ダウンミックス信号Ｘ、共分散行列Ｅ、レンダリング行列Ｒおよびダウンミックス行列Ｄで構成される。
【０３０１】
2020120389.tif 000063
【０３０２】
ここで、逆量子化オブジェクト・パラメータは、
ＯＬＤi＝ＤOLD（ｉ，ｌ，ｍ），ＩＯＣi,j＝ＤIOC（ｉ，ｊ，ｌ，ｍ）
として、得られる。
【０３０３】
2020120389.tif 000064
【０３０４】
2020120389.tif 000065
【０３０５】
ここで、逆量子化ダウンミックス・パラメータは、
ＤＭＧi,j＝ＤDMG（ｉ，ｊ，ｌ）
として、得られる。
【０３０６】
2020120389.tif 000066
【０３０７】
2020120389.tif 000067
【０３０８】
2020120389.tif 000068
【０３０９】
2020120389.tif 000069
【０３１０】
2020120389.tif 000070
【０３１１】
２０．２．２  復号化
ＳＡＯＣ  ３Ｄパラメータおよびレンダリング情報を用いて出力信号を得るための方法が記載される。ＳＡＯＣ  ３Ｄデコーダは、例えば、ＳＡＯＣ  ３Ｄパラメータ・プロセッサおよびＳＡＯＣ  ３Ｄダウンミックス・プロセッサから構成されうる。
【０３１２】
２０．２．２．１  ダウンミックス・プロセッサ
（ハイブリッドＱＭＦ領域において表される）ダウンミックス・プロセッサの出力信号は、ＳＡＯＣ  ３Ｄデコーダの最後の出力を得ている、ＩＳＯ／ＩＥＣ  ２３００３−１：２００７において記載されるように、対応する合成フィルタバンクに供給される。ダウンミックス・プロセッサの詳細な構造は、図３１において表現される。
【０３１３】
2020120389.tif 000071
【０３１４】
2020120389.tif 000072
【０３１５】
2020120389.tif 000073
【０３１６】
図３２において示されるように、復号化モードは、ビットストリーム要素ｂｓＮｕｍＳａｏｃＤｍｘＯｂｊｅｓｔｓによって制御される。
【０３１７】
２０．２．２．１．１  結合復号化モード
結合復号化モードの場合において、パラメトリック・アンミキシング行列Ｕは、
Ｕ＝ＥＤ*Ｊ
によって、与えられる。
【０３１８】
2020120389.tif 000074
【０３１９】
2020120389.tif 000075
【０３２０】
2020120389.tif 000076
【０３２１】
2020120389.tif 000077
【０３２２】
2020120389.tif 000078
【０３２３】
2020120389.tif 000079
【０３２４】
2020120389.tif 000080
【０３２５】
2020120389.tif 000081
【０３２６】
2020120389.tif 000082
【０３２７】
2020120389.tif 000083
【０３２８】
2020120389.tif 000084
【０３２９】
2020120389.tif 000085
【０３３０】
2020120389.tif 000086
【０３３１】
2020120389.tif 000087
【０３３２】
2020120389.tif 000088
【０３３３】
2020120389.tif 000089
【０３３４】
2020120389.tif 000090
【０３３５】
2020120389.tif 000091
【０３３６】
2020120389.tif 000092
【０３３７】
2020120389.tif 000093
【０３３８】
2020120389.tif 000094
【０３３９】
2020120389.tif 000095
【０３４０】
2020120389.tif 000096
【０３４１】
2020120389.tif 000097
【０３４２】
2020120389.tif 000098
【０３４３】
2020120389.tif 000099
【０３４４】
２１．  実施変形例
いくつかの態様が、装置との関連で記載されるが、これらの態様も、対応する方法の説明を表わすことは明らかであり、ブロックあるいは装置は、方法のステップ、または方法のステップの特徴に対応する。類似して、方法のステップとの関連で記載される態様は、装置に対応する、ブロック、アイテムまたは特徴の説明を表す。方法のステップのいくつかまたは全ては、たとえば、マイクロプロセッサ、プログラム可能なコンピュータ、または電子回路のようなハードウェア装置によって（または使用して）実行されうる。いくつかの実施の形態において、最も重要な方法のステップの１つ以上は、この種の装置によって実行されうる。
【０３４５】
本発明の符号化された音声信号は、デジタル記憶媒体に保存されるか、または、ワイヤレス伝送媒体または例えば、インターネットのような有線の伝送媒体のような伝送媒体上に送信されうる。
【０３４６】
特定の実現要求に応じて、本発明の実施の形態は、ハードウェアにおいて、または、ソフトウェアにおいて、実行されうる。その実現態様は、それぞれの方法が実行されるように、プログラミング可能なコンピュータ・システムと協働するか（または、協働することができる）、そこに格納された電子的に読み込み可能な制御信号を有するデジタル記憶媒体、例えば、フロッピー（登録商標）ディスク、ＤＶＤ、ブルーレイ（登録商標）、ＣＤ、ＲＯＭ、ＰＲＯＭ、ＥＰＲＯＭ、ＥＥＰＲＯＭ、またはＦＬＡＳＨ（登録商標）メモリを使用して実行されうる。従って、デジタル記憶媒体は、コンピュータ読み込み可能でもよい。
【０３４７】
本発明による若干の実施の形態は、本願明細書において記載される方法のうちの１つが実行されるように、プログラミング可能なコンピュータ・システムと協働することができる電子的に読み込み可能な信号を有するデータキャリアを含む。
【０３４８】
通常、本発明の実施の形態は、プログラムコードを有するコンピュータ・プログラム製品として実施され、コンピュータ・プログラム製品がコンピュータ上で実行する場合、プログラムコードは、方法のうちの１つを実行するために作動される。プログラムコードは、機械可読キャリアに、例えば、格納されうる。
【０３４９】
他の実施の形態は、機械可読キャリアに格納され、本願明細書において記載される方法のうちの１つを実行するためのコンピュータ・プログラムを含む。
【０３５０】
換言すれば、従って、コンピュータ・プログラムがコンピュータ上で実行する場合、本発明の方法の実施の形態は、本願明細書において記載される方法のうちの１つを実行するためのプログラムコードを有するコンピュータ・プログラムである。
【０３５１】
従って、本発明の方法の更なる実施の形態は、その上に記録され、本願明細書において記載される方法のうちの１つを実行するためのコンピュータ・プログラムを含むデータキャリア（または、デジタル記憶媒体、またはコンピュータ可読媒体）である。データキャリア、デジタル記憶媒体または記録された媒体は、典型的には、有形でありおよび／または、暫定的である。
【０３５２】
従って、本発明の方法の更なる実施の形態は、本願明細書において記載される方法のうちの１つを実行するためのコンピュータ・プログラムを表しているデータストリームまたは一連の信号である。例えば、データストリームまたは一連の信号は、データ通信接続、例えば、インターネットを介して転送されるように構成されうる。
【０３５３】
更なる実施の形態は、本願明細書において記載される方法のうちの１つを実行するために構成され、または適応される処理手段、例えば、コンピュータ、またはプログラミング可能な論理回路を含む。
【０３５４】
更なる実施の形態は、その上にインストールされ、本願明細書において記載される方法のうちの１つを実行するためのコンピュータ・プログラムを有するコンピュータを含む。
【０３５５】
本発明による更なる実施の形態は、レシーバに本願明細書に記載される方法のうちの１つを実行するためのコンピュータ・プログラムを（例えば、電子的にまたは光学的に）転送するために構成される装置またはシステムを含む。レシーバは、例えば、コンピュータ、モバイル機器、メモリ素子等でもよい。装置またはシステムは、例えば、レシーバにコンピュータ・プログラムを転送するためのファイルサーバを含む。
【０３５６】
いくつかの実施の形態において、プログラミング可能な論理回路（例えば、現場でプログラム可能なゲートアレイ（Ｆｉｅｌｄ  Ｐｒｏｇｒａｍｍａｂｌｅ  Ｇａｔｅ  Ａｒｒａｙ））が、本願明細書において記載される方法のいくつかまたは全ての機能を実行するために使用されうる。いくつかの実施の形態において、現場でプログラム可能なゲートアレイは、本願明細書において記載される方法の１つを実行するために、マイクロプロセッサと協働しうる。一般に、方法は、いくつかのハードウェア装置によって、好ましくは実行される。
【０３５７】
上述した実施の形態は、本発明の原則の例を表すだけである。本願明細書において記載される装置の修正および変更ならびに詳細は、他の当業者にとって明らかであるものと理解される。従って、間近に迫った特許請求の範囲だけによってのみ制限され、ならびに、本願発明の記述および説明によって表された明細書の詳細な記載によっては、制限されない。
【０３５８】
参考文献
[BCC] C. Faller and F. Baumgarte, "Binaural Cue Coding - Part II: Schemes and applications," IEEE Trans. on Speech and Audio Proc., vol. 11, no. 6, Nov. 2003.
[Blauert] J. Blauert, "Spatial Hearing - The Psychophysics of Human Sound Localization", Revised Edition, The MIT Press, London, 1997.
[JSC] C. Faller, "Parametric Joint-Coding of Audio Sources", 120th AES Convention, Paris, 2006.
[ISS1] M. Parvaix and L. Girin: "Informed Source Separation of underdetermined instantaneous Stereo Mixtures using Source Index Embedding", IEEE ICASSP, 2010.
[ISS2] M. Parvaix, L. Girin, J.-M. Brossier: "A watermarking-based method for informed source separation of audio signals with a single sensor", IEEE Transactions on Audio, Speech and Language Processing, 2010.
[ISS3] A. Liutkus and J. Pinel and R. Badeau and L. Girin and G. Richard: "Informed source separation through spectrogram coding and data embedding", Signal Processing Journal, 2011.
[ISS4] A. Ozerov, A. Liutkus, R. Badeau, G. Richard: "Informed source separation: source coding meets source separation", IEEE Workshop on Applications of Signal Processing to Audio and Acoustics, 2011.
[ISS5] S. Zhang and L. Girin: "An Informed Source Separation System for Speech Signals", INTERSPEECH, 2011.
[ISS6] L. Girin and J. Pinel: "Informed Audio Source Separation from Compressed Linear Stereo Mixtures", AES 42nd International Conference: Semantic Audio, 2011.
[MPS] ISO/IEC, "Information technology - MPEG audio technologies - Part 1: MPEG Surround," ISO/IEC JTC1/SC29/WG11 (MPEG) international Standard 23003-1:2006.
[OCD] J. Vilkamo, T. Baeckstroem, and A. Kuntz. "Optimized covariance domain framework for time-frequency processing of spatial audio", Journal of the Audio Engineering Society, 2013. in press.
[SAOC1] J. Herre, S. Disch, J. Hilpert, O. Hellmuth: "From SAC To SAOC - Recent Developments in Parametric Coding of Spatial Audio", 22nd Regional UK AES Conference, Cambridge, UK, April 2007.
[SAOC2] J. Engdegard, B. Resch, C. Falch, O. Hellmuth, J. Hilpert, A. Hoelzer, L. Terentiev, J. Breebaart, J. Koppens, E. Schuijers and W. Oomen: " Spatial Audio Object Coding (SAOC) - The Upcoming MPEG Standard on Parametric Object Based Audio Coding", 124th AES Convention, Amsterdam 2008.
[SAOC] ISO/IEC, "MPEG audio technologies - Part 2: Spatial Audio Object Coding (SAOC)," ISO/IEC JTC1/SC29/WG11 (MPEG) International Standard 23003-2.
International Patent No. WO/2006/026452, "MULTICHANNEL DECORRELATION IN SPATIAL AUDIO CODING" issued on 9 March 2006.
【図１】
2020120389.tif 000115
【図２】
2020120389.tif 000116
【図３】
2020120389.tif 000117
【図４】
2020120389.tif 000118
【図５】
2020120389.tif 000119
【図６】
2020120389.tif 000120
【図７】
2020120389.tif 000121
【図８】
2020120389.tif 000122
【図９】
2020120389.tif 000123
【図１０】
2020120389.tif 000124
【図１１】
2020120389.tif 000125
【図１２】
2020120389.tif 000126
【図１３】
2020120389.tif 000127
【図１４】
2020120389.tif 000128
【図１５】
2020120389.tif 000129
【図１６】
2020120389.tif 000130
【図１７】
2020120389.tif 000131
【図１８】
2020120389.tif 000132
【図１９ａ】
2020120389.tif 000133
【図１９ｂ】
2020120389.tif 000134
【図１９ｃ】
2020120389.tif 000135
【図１９ｄ】
2020120389.tif 000136
【図１９ｅ】
2020120389.tif 000137
【図１９ｆ】
2020120389.tif 000138
【図１９ｇ】
2020120389.tif 000139
【図２０ａ】
2020120389.tif 000140
【図２０ｂ】
2020120389.tif 000141
【図２０ｃ】
2020120389.tif 000142
【図２０ｄ】
2020120389.tif 000143
【図２１ａ】
2020120389.tif 000144
【図２１ｂ】
2020120389.tif 000145
【図２１ｃ】
2020120389.tif 000146
【図２１ｄ】
2020120389.tif 000147
【図２１ｅ】
2020120389.tif 000148
【図２１ｆ】
2020120389.tif 000149
【図２２ａ】
2020120389.tif 000150
【図２２ｂ】
2020120389.tif 000151
【図２３】
2020120389.tif 000152
【図２４】
2020120389.tif 000153
【図２５】
2020120389.tif 000154
【図２６】
2020120389.tif 000155
【図２７】
2020120389.tif 000156
【図２８】
2020120389.tif 000157
【図２９】
2020120389.tif 000158
【図３０】
2020120389.tif 000159
【図３１】
2020120389.tif 000160
【図３２】
2020120389.tif 000161
【図３３ａ−１】
2020120389.tif 000162
【図３３ａ−２】
2020120389.tif 000163
【図３３ｂ】
2020120389.tif 000164
【外国語明細書】
2020120389000001.pdf
2020120389000002.pdf
2020120389000003.pdf
2020120389000004.pdf